(57)【要約】  本開示の実施形態は、ブロードキャスト／マルチキャストサービスを提供するための方法、装置及びコンピュータプログラム製品を提供する。アプリケーションサーバーで少なくとも部分的に実施される方法は、リソース要求メッセージを第１のブロードキャスト／マルチキャスト制御ノード（ＢＭ−ＣＮ）へ送信して、マルチメディアブロードキャスト／マルチキャストサービス（ＭＢＭＳ）ユーザサービスを配送するためのブロードキャストリソースの割り当てを要求し；更に別のリソース要求メッセージを第２のＢＭ−ＣＮへ送信して、ＭＢＭＳユーザサービスを配送するためのブロードキャストリソースの更に別の割り当てを要求し；第１のＢＭ−ＣＮから第１の応答メッセージをそして第２のＢＭ−ＣＮから第２の応答メッセージを受信し、第１の応答メッセージは、ＭＢＭＳユーザサービスのために第１のＢＭ−ＣＮにより割り当てられた第１のブロードキャストリソースを指示し、及び第２の応答メッセージは、ＭＢＭＳユーザサービスのために第２のＢＭ−ＣＮにより割り当てられた第２のブロードキャストリソースを指示し；及び第２のブロードキャストリソースに関する情報を第１のＢＭ−ＣＮに指示し、及び／又は第１のブロードキャストリソースに関する情報を第２のＢＭ−ＣＮに指示する；ことを含む。ＢＭ−ＣＮ及びＲＡＮネットワークノード並びにそれに対応する装置における方法も提供される。【選択図】図３
2019515559.tif 000002
【特許請求の範囲】
【請求項１】
アプリケーションサーバーで少なくとも部分的に実施される方法において、
リソース要求メッセージを第１のブロードキャスト／マルチキャスト制御ノード（ＢＭ−ＣＮ）へ送信して、マルチメディアブロードキャスト／マルチキャストサービス（ＭＢＭＳ）ユーザサービスを配送するためのブロードキャストリソースの割り当てを要求し；
更に別のリソース要求メッセージを第２のＢＭ−ＣＮへ送信して、ＭＢＭＳユーザサービスを配送するためのブロードキャストリソースの更に別の割り当てを要求し；
第１のＢＭ−ＣＮから第１の応答メッセージをそして第２のＢＭ−ＣＮから第２の応答メッセージを受信し、第１の応答メッセージは、ＭＢＭＳユーザサービスのために第１のＢＭ−ＣＮにより割り当てられた第１のブロードキャストリソースを指示し、及び第２の応答メッセージは、ＭＢＭＳユーザサービスのために第２のＢＭ−ＣＮにより割り当てられた第２のブロードキャストリソースを指示するものであり；及び
第２のブロードキャストリソースに関する情報を第１のＢＭ−ＣＮに指示し、及び／又は第１のブロードキャストリソースに関する情報を第２のＢＭ−ＣＮに指示する；
ことを含む方法。
【請求項２】
前記第１のＢＭ−ＣＮ及び第２のＢＭ−ＣＮは、同じＢＭ−ＣＮである、請求項１に記載の方法。
【請求項３】
前記第１のＢＭ−ＣＮは、第１の公衆地上移動ネットワークに属しそして前記第２のＢＭ−ＣＮは、異なる公衆地上移動ネットワークに属し、或いは
前記第１のＢＭ−ＣＮは、第１のＭＢＭＳサービスエリアにサービスし、そして前記第２のＢＭ−ＣＮは、該第１のＭＢＭＳサービスエリアに少なくとも部分的に重畳する第２のＭＢＭＳサービスエリアにサービスする、
請求項１に記載の方法。
【請求項４】
前記第２のブロードキャストリソースに関する情報を第１のＢＭ−ＣＮに指示すること及び／又は前記第１のブロードキャストリソースに関する情報を第２のＢＭ−ＣＮに指示することは、
前記第１のブロードキャストリソースを識別するための第１の一時的移動グループアイデンティティ、及び前記第２のブロードキャストリソースを識別するための第２の一時的移動グループアイデンティティを、前記第１のＢＭ−ＣＮ及び／又は第２のＢＭ−ＣＮに指示する、
ことを含む、請求項１に記載の方法。
【請求項５】
前記第２のブロードキャストリソースに関する情報を第１のＢＭ−ＣＮに指示すること及び／又は前記第１のブロードキャストリソースに関する情報を第２のＢＭ−ＣＮに指示することは、
前記第２のブロードキャストリソースに関する情報を新たな情報エレメントとして第１のアクチベートＭＢＭＳベアラ要求メッセージに含ませ、そして該第１のアクチベートＭＢＭＳベアラ要求メッセージを第１のＢＭ−ＣＮへ送信し；及び／又は
前記第１のブロードキャストリソースに関する情報を新たな情報エレメントとして第２のアクチベートＭＢＭＳベアラ要求メッセージに含ませ、そして該第２のアクチベートＭＢＭＳベアラ要求メッセージを第２のＢＭ−ＣＮへ送信する；
ことを含む、請求項１から４のいずれかに記載の方法。
【請求項６】
第１のブロードキャスト／マルチキャスト制御ノード（ＢＭ−ＣＮ）で少なくとも部分的に実施される方法において、
第１のＢＭ−ＣＮのアプリケーションサーバーから要求を受け取って、マルチメディアブロードキャスト／マルチキャストサービス（ＭＢＭＳ）ユーザサービスを配送するためのブロードキャストリソースを割り当て；
前記受け取った要求に応答してアプリケーションサーバーへメッセージを送り、該メッセージは、ＭＢＭＳユーザサービスに対して第１のＢＭ−ＣＮにより割り当てられた第１のブロードキャストリソースを指示するものであり；
ＭＢＭＳユーザサービスに対して第２のＢＭ−ＣＮにより割り当てられた第２のブロードキャストリソースに関する情報をアプリケーションサーバーから受信し；及び
ＭＢＭＳユーザサービスに対する第１のブロードキャストリソース及び第２のブロードキャストリソースに関する情報を、第１のＢＭ−ＣＮ及び第２のＢＭ−ＣＮによりシェアリングされる無線アクセスネットワークに指示する；
ことを含む方法。
【請求項７】
前記第１のＢＭ−ＣＮ及び第２のＢＭ−ＣＮは、同じＢＭ−ＣＮである、請求項６に記載の方法。
【請求項８】
前記第１のＢＭ−ＣＮは、第１の公衆地上移動ネットワークに属しそして前記第２のＢＭ−ＣＮは、異なる第２の公衆地上移動ネットワークに属し、或いは
前記第１のＢＭ−ＣＮは、第１のＭＢＭＳサービスエリアにサービスし、そして前記第２のＢＭ−ＣＮは、該第１のＭＢＭＳサービスエリアに少なくとも部分的に重畳する第２のＭＢＭＳサービスエリアにサービスする、
請求項６に記載の方法。
【請求項９】
前記ＭＢＭＳユーザサービスに対して第２のＢＭ−ＣＮにより割り当てられた第２のブロードキャストリソースに関する情報をアプリケーションサーバーから受信することは、
前記第１のブロードキャストリソースを識別するための第１の一時的移動グループアイデンティティ、及び前記第２のブロードキャストリソースを識別するための第２の一時的移動グループアイデンティティを前記アプリケーションサーバーから受け取る、
ことを含む、請求項６に記載の方法。
【請求項１０】
前記ＭＢＭＳユーザサービスに対して第２のＢＭ−ＣＮにより割り当てられた第２のブロードキャストリソースに関する情報をアプリケーションサーバーから受信することは、
前記第２のブロードキャストリソースに関する情報を前記アプリケーションサーバーから第１のアクチベートＭＢＭＳベアラ要求メッセージにおいて新たな情報エレメントを経て受信する、
ことを含む、請求項６に記載の方法。
【請求項１１】
前記ＭＢＭＳユーザサービスのための第１のブロードキャストリソース及び第２のブロードキャストリソースに関する情報を無線アクセスネットワークに指示することは、
前記ＭＢＭＳユーザサービスのための第１のブロードキャストリソース及び第２のブロードキャストリソースに関する情報を、ＭＢＭＳセッション開始要求メッセージ又はＭＢＭＳセッション更新要求メッセージを経て、ベースステーション、又は無線アクセスネットワークのマルチセル／マルチキャスト整合エンティティに指示する、
ことを含む、請求項６から１０のいずれかに記載の方法。
【請求項１２】
前記ＭＢＭＳユーザサービスのための第１のブロードキャストリソース及び第２のブロードキャストリソースに関する情報を無線アクセスネットワークに指示することは、
前記ＭＢＭＳユーザサービスのための第１のブロードキャストリソース及び第２のブロードキャストリソースに関する情報を無線アクセスネットワークのターミナルデバイスに指示する、
ことを更に含む、請求項１１に記載の方法。
【請求項１３】
無線アクセスネットワークの第１のネットワークノードで少なくとも部分的に実施される方法において、
第１のマルチメディアブロードキャスト／マルチキャストサービス（ＭＢＭＳ）セッションを開始するための第１のメッセージを第１のブロードキャスト／マルチキャスト制御ノード（ＢＭ−ＣＮ）から受信し；
第２のＭＢＭＳセッションを開始するための第２のメッセージを第２のＢＭ−ＣＮから受信し；
第１のＭＢＭＳセッション及び第２のＭＢＭＳセッションが同じＭＢＭＳユーザサービスに関連していることを検出し；
第１及び第２のＭＢＭＳセッションに対して単一コアネットワークユーザプレーン接続及び単一ブロードキャスト無線ベアラを確立できるかどうか決定し；及び
前記決定の肯定結果に基づいて単一ブロードキャスト無線ベアラを経てターミナルデバイスへ同じＭＢＭＳユーザサービスのデータをブロードキャストする；
ことを含む、方法。
【請求項１４】
前記検出は、前記第１のメッセージ及び第２のメッセージの少なくとも１つに含まれた指示に基づくものであり、この指示は、第１のＢＭ−ＣＮ及び第２のＢＭ−ＣＮの一方により割り当てられたブロードキャストリソース、及び同じＭＢＭＳユーザサービスに対して第１のＢＭ−ＣＮ及び第２のＢＭ−ＣＮの他方により割り当てられた更に別の関連ブロードキャストリソースを指示する、請求項１３に記載の方法。
【請求項１５】
前記第１のメッセージの受信に応答してインターネットプロトコル（ＩＰ）マルチキャストグループに加わることを更に含む、請求項１３に記載の方法。
【請求項１６】
前記第１のＢＭ−ＣＮ及び第２のＢＭ−ＣＮは、同じＢＭ−ＣＮである、請求項１３から１５のいずれかに記載の方法。
【請求項１７】
無線アクセスネットワークの第２のネットワークノードで少なくとも部分的に実施される方法において、
第１のマルチメディアブロードキャスト／マルチキャストサービス（ＭＢＭＳ）セッションを開始するためのメッセージを第１のブロードキャスト／マルチキャスト制御ノード（ＢＭ−ＣＮ）から受信し；
第２のＭＢＭＳセッションを開始するための更に別のメッセージを第２のＢＭ−ＣＮから受信し；
第１のＭＢＭＳセッション及び第２のＭＢＭＳセッションが同じＭＢＭＳユーザサービスに関連していることを検出し；
第１及び第２のＭＢＭＳセッションに対して単一コアネットワークユーザプレーン接続及び単一ブロードキャスト無線ベアラを確立できるかどうか決定し；及び
前記決定の肯定結果に基づいて、単一コアネットワークユーザプレーン接続を確立するようにベースステーションに命令しそしてその単一コアネットワークユーザプレーン接続から単一ブロードキャスト無線ベアラを経てターミナルデバイスへデータをブロードキャストする；
ことを含む、方法。
【請求項１８】
前記第１のＢＭ−ＣＮ及び第２のＢＭ−ＣＮは、同じＢＭ−ＣＮである、請求項１７に記載の方法。
【請求項１９】
アプリケーションサーバーで少なくとも部分的に実施される装置において、
リソース要求メッセージを第１のブロードキャスト／マルチキャスト制御ノード（ＢＭ−ＣＮ）へ送信して、マルチメディアブロードキャスト／マルチキャストサービス（ＭＢＭＳ）ユーザサービスを配送するためのブロードキャストリソースの割り当てを要求するように構成された第１のリソース要求ユニット；
更に別のリソース要求メッセージを第２のＢＭ−ＣＮへ送信して、ＭＢＭＳユーザサービスを配送するためのブロードキャストリソースの更に別の割り当てを要求するように構成された第２のリソース要求ユニット；
第１のＢＭ−ＣＮから第１の応答メッセージをそして第２のＢＭ−ＣＮから第２の応答メッセージを受信するように構成された受信ユニットであって、第１の応答メッセージは、ＭＢＭＳユーザサービスのために第１のＢＭ−ＣＮにより割り当てられた第１のブロードキャストリソースを指示し、及び第２の応答メッセージは、ＭＢＭＳユーザサービスのために第２のＢＭ−ＣＮにより割り当てられた第２のブロードキャストリソースを指示するものである受信ユニット；及び
第２のブロードキャストリソースに関する情報を第１のＢＭ−ＣＮに指示し及び／又は第１のブロードキャストリソースに関する情報を第２のＢＭ−ＣＮに指示するように構成された指示ユニット；
を備えた装置。
【請求項２０】
前記第１のＢＭ−ＣＮ及び第２のＢＭ−ＣＮは、同じＢＭ−ＣＮである、請求項１９に記載の装置。
【請求項２１】
前記第１のＢＭ−ＣＮは、第１の公衆地上移動ネットワークに属しそして前記第２のＢＭ−ＣＮは、異なる第２の公衆地上移動ネットワークに属し、或いは
前記第１のＢＭ−ＣＮは、第１のＭＢＭＳサービスエリアにサービスし、そして前記第２のＢＭ−ＣＮは、該第１のＭＢＭＳサービスエリアに少なくとも部分的に重畳する第２のＭＢＭＳサービスエリアにサービスする、
請求項１９に記載の装置。
【請求項２２】
前記指示ユニットは、
前記第１のブロードキャストリソースを識別するための第１の一時的移動グループアイデンティティ、及び前記第２のブロードキャストリソースを識別するための第２の一時的移動グループアイデンティティを、前記第１のＢＭ−ＣＮ及び／又は第２のＢＭ−ＣＮに指示する、
ように構成される、請求項１９に記載の装置。
【請求項２３】
前記指示ユニットは、
前記第２のブロードキャストリソースに関する情報を新たな情報エレメントとして第１のアクチベートＭＢＭＳベアラ要求メッセージに含ませ、そして該第１のアクチベートＭＢＭＳベアラ要求メッセージを第１のＢＭ−ＣＮへ送信するように構成された第１のメッセージ送信ユニット；及び／又は
前記第１のブロードキャストリソースに関する情報を新たな情報エレメントとして第２のアクチベートＭＢＭＳベアラ要求メッセージに含ませ、そして該第２のアクチベートＭＢＭＳベアラ要求メッセージを第２のＢＭ−ＣＮへ送信するように構成された第２のメッセージ送信ユニット；
を備えている、請求項１９から２２のいずれかに記載の装置。
【請求項２４】
第１のブロードキャスト／マルチキャスト制御ノード（ＢＭ−ＣＮ）で少なくとも部分的に実施される装置において、
第１のＢＭ−ＣＮのアプリケーションサーバーから要求を受け取って、マルチメディアブロードキャスト／マルチキャストサービス（ＭＢＭＳ）ユーザサービスを配送するためのブロードキャストリソースを割り当てるように構成された要求受け取りユニット；
前記受け取った要求に応答してアプリケーションサーバーへメッセージを送信するように構成された応答ユニットであって、該メッセージは、ＭＢＭＳユーザサービスに対して第１のＢＭ−ＣＮにより割り当てられた第１のブロードキャストリソースを指示するものである応答ユニット；
ＭＢＭＳユーザサービスに対して第２のＢＭ−ＣＮにより割り当てられた第２のブロードキャストリソースに関する情報をアプリケーションサーバーから受信するように構成された情報受信ユニット；及び
ＭＢＭＳユーザサービスに対する第１のブロードキャストリソース及び第２のブロードキャストリソースに関する情報を、第１のＢＭ−ＣＮ及び第２のＢＭ−ＣＮによりシェアリングされる無線アクセスネットワークに指示するように構成された通知ユニット；
を備えた装置。
【請求項２５】
前記第１のＢＭ−ＣＮ及び第２のＢＭ−ＣＮは、同じＢＭ−ＣＮである、請求項２４に記載の装置。
【請求項２６】
前記第１のＢＭ−ＣＮは、第１の公衆地上移動ネットワークに属しそして前記第２のＢＭ−ＣＮは、異なる第２の公衆地上移動ネットワークに属し、或いは
前記第１のＢＭ−ＣＮは、第１のＭＢＭＳサービスエリアにサービスし、そして前記第２のＢＭ−ＣＮは、該第１のＭＢＭＳサービスエリアに少なくとも部分的に重畳する第２のＭＢＭＳサービスエリアにサービスする、
請求項２４に記載の装置。
【請求項２７】
前記情報受信ユニットは、
前記第１のブロードキャストリソースを識別するための第１の一時的移動グループアイデンティティ、及び前記第２のブロードキャストリソースを識別するための第２の一時的移動グループアイデンティティをアプリケーションサーバーから受信するように構成された、請求項２４に記載の装置。
【請求項２８】
前記情報受信ユニットは、
第２のブロードキャストリソースに関する情報をアプリケーションサーバーから第１のアクチベートＭＢＭＳベアラ要求メッセージにおいて新たな情報エレメントを経て受信するように構成された、請求項２４に記載の装置。
【請求項２９】
前記通知ユニットは、前記ＭＢＭＳユーザサービスのための第１のブロードキャストリソース及び第２のブロードキャストリソースに関する情報を、ＭＢＭＳセッション開始要求メッセージ又はＭＢＭＳセッション更新要求メッセージを経て、ベースステーション、又は無線アクセスネットワークのマルチセル／マルチキャスト整合エンティティに指示するように構成された、請求項２４から２８のいずれかに記載の装置。
【請求項３０】
前記通知ユニットは、更に、前記ＭＢＭＳユーザサービスのための第１のブロードキャストリソース及び第２のブロードキャストリソースに関する情報を無線アクセスネットワークのターミナルデバイスに指示するように構成された、請求項２９に記載の装置。
【請求項３１】
無線アクセスネットワークの第１のネットワークノードで少なくとも部分的に実施される装置において、
第１のマルチメディアブロードキャスト／マルチキャストサービス（ＭＢＭＳ）セッションを開始するための第１のメッセージを第１のブロードキャスト／マルチキャスト制御ノード（ＢＭ−ＣＮ）から受信するように構成された第１のメッセージ受信ユニット；
第２のＭＢＭＳセッションを開始するための第２のメッセージを第２のＢＭ−ＣＮから受信するように構成された第２のメッセージ受信ユニット；
第１のＭＢＭＳセッション及び第２のＭＢＭＳセッションが同じＭＢＭＳユーザサービスに関連していることを検出するように構成された検出ユニット；
第１及び第２のＭＢＭＳセッションに対して単一コアネットワークユーザプレーン接続及び単一ブロードキャスト無線ベアラを確立できるかどうか決定するように構成された決定ユニット；及び
前記決定の肯定結果に基づいて単一ブロードキャスト無線ベアラを経てターミナルデバイスへ同じＭＢＭＳユーザサービスのデータをブロードキャストするように構成されたブロードキャストユニット；
を備えた装置。
【請求項３２】
前記検出ユニットは、第１メッセージ及び第２メッセージの少なくとも１つに含まれた指示に基づいて、第１のＢＭ−ＣＮ及び第２のＢＭ−ＣＮの一方により割り当てられたブロードキャストリソース、及び同じＭＢＭＳユーザサービスに対して第１のＢＭ−ＣＮ及び第２のＢＭ−ＣＮの他方により割り当てられた更に別の関連ブロードキャストリソースを示す指示を検出するように構成される、請求項３１に記載の装置。
【請求項３３】
前記第１のメッセージの受信に応答してインターネットプロトコル（ＩＰ）マルチキャストグループに加わるように構成された加入ユニットを更に備えた、請求項３１に記載の装置。
【請求項３４】
前記第１のＢＭ−ＣＮ及び第２のＢＭ−ＣＮは、同じＢＭ−ＣＮである、請求項３１から３３のいずれかに記載の装置。
【請求項３５】
無線アクセスネットワークの第２のネットワークノードで少なくとも部分的に実施される装置において、
第１のマルチメディアブロードキャスト／マルチキャストサービス（ＭＢＭＳ）セッションを開始するためのメッセージを第１のブロードキャスト／マルチキャスト制御ノード（ＢＭ−ＣＮ）から受信するように構成された第１の受信ユニット；
第２のＭＢＭＳセッションを開始するための更に別のメッセージを第２のＢＭ−ＣＮから受信するように構成された第２の受信ユニット；
第１のＭＢＭＳセッション及び第２のＭＢＭＳセッションが同じＭＢＭＳユーザサービスに関連していることを検出するように構成された検出ユニット；
第１及び第２のＭＢＭＳセッションに対して単一コアネットワークユーザプレーン接続及び単一ブロードキャスト無線ベアラを確立できるかどうか決定するように構成された決定ユニット；及び
前記決定の肯定結果に基づいて、単一コアネットワークユーザプレーン接続を確立するようにベースステーションに命令しそしてその単一コアネットワークユーザプレーン接続から単一ブロードキャスト無線ベアラを経てターミナルデバイスへデータをブロードキャストするように構成された命令ユニット；
を備えた装置。
【請求項３６】
前記第１のＢＭ−ＣＮ及び第２のＢＭ−ＣＮは、同じＢＭ−ＣＮである、請求項３５に記載の装置。
【請求項３７】
少なくとも１つのプロセッサ、及び
コンピュータプログラムコードを含む少なくとも１つのメモリ、
を備え、アプリケーションサーバーで少なくとも部分的に実施される装置において、
少なくとも１つのメモリ及びコンピュータプログラムコードは、少なくとも１つのプロセッサとで、装置が、少なくとも、
リソース要求メッセージを第１のブロードキャスト／マルチキャスト制御ノード（ＢＭ−ＣＮ）へ送信して、マルチメディアブロードキャスト／マルチキャストサービス（ＭＢＭＳ）ユーザサービスを配送するためのブロードキャストリソースの割り当てを要求し；
更に別のリソース要求メッセージを第２のＢＭ−ＣＮへ送信して、ＭＢＭＳユーザサービスを配送するためのブロードキャストリソースの更に別の割り当てを要求し；
第１のＢＭ−ＣＮから第１の応答メッセージをそして第２のＢＭ−ＣＮから第２の応答メッセージを受信し、第１の応答メッセージは、ＭＢＭＳユーザサービスのために第１のＢＭ−ＣＮにより割り当てられた第１のブロードキャストリソースを指示し、及び第２の応答メッセージは、ＭＢＭＳユーザサービスのために第２のＢＭ−ＣＮにより割り当てられた第２のブロードキャストリソースを指示するものであり；及び
第２のブロードキャストリソースに関する情報を第１のＢＭ−ＣＮに指示し及び／又は第１のブロードキャストリソースに関する情報を第２のＢＭ−ＣＮに指示する；
ことを遂行するようにさせるよう構成された装置。
【請求項３８】
前記第１のＢＭ−ＣＮ及び第２のＢＭ−ＣＮは、同じＢＭ−ＣＮである、請求項３７に記載の装置。
【請求項３９】
前記第１のＢＭ−ＣＮは、第１の公衆地上移動ネットワークに属しそして前記第２のＢＭ−ＣＮは、異なる公衆地上移動ネットワークに属し、或いは
前記第１のＢＭ−ＣＮは、第１のＭＢＭＳサービスエリアにサービスし、そして前記第２のＢＭ−ＣＮは、該第１のＭＢＭＳサービスエリアに少なくとも部分的に重畳する第２のＭＢＭＳサービスエリアにサービスする、
請求項３７に記載の装置。
【請求項４０】
前記第２のブロードキャストリソースに関する情報を第１のＢＭ−ＣＮに指示すること及び／又は前記第１のブロードキャストリソースに関する情報を第２のＢＭ−ＣＮに指示することは、
前記第１のブロードキャストリソースを識別するための第１の一時的移動グループアイデンティティ、及び前記第２のブロードキャストリソースを識別するための第２の一時的移動グループアイデンティティを、前記第１のＢＭ−ＣＮ及び／又は第２のＢＭ−ＣＮに指示する、
ことを含む、請求項３７に記載の装置。
【請求項４１】
前記第２のブロードキャストリソースに関する情報を第１のＢＭ−ＣＮに指示すること及び／又は前記第１のブロードキャストリソースに関する情報を第２のＢＭ−ＣＮに指示することは、
前記第２のブロードキャストリソースに関する情報を新たな情報エレメントとして第１のアクチベートＭＢＭＳベアラ要求メッセージに含ませ、そして該第１のアクチベートＭＢＭＳベアラ要求メッセージを第１のＢＭ−ＣＮへ送信し；及び／又は
前記第１のブロードキャストリソースに関する情報を新たな情報エレメントとして第２のアクチベートＭＢＭＳベアラ要求メッセージに含ませ、そして該第２のアクチベートＭＢＭＳベアラ要求メッセージを第２のＢＭ−ＣＮへ送信する；
ことを含む、請求項３７から４０のいずれかに記載の装置。
【請求項４２】
少なくとも１つのプロセッサ、及び
コンピュータプログラムコードを含む少なくとも１つのメモリ、
を備え、第１のブロードキャスト／マルチキャスト制御ノード（ＢＭ−ＣＮ）で少なくとも部分的に実施される装置において、
少なくとも１つのメモリ及びコンピュータプログラムコードは、少なくとも１つのプロセッサとで、装置が、少なくとも、
第１のＢＭ−ＣＮのアプリケーションサーバーから要求を受け取って、マルチメディアブロードキャスト／マルチキャストサービス（ＭＢＭＳ）ユーザサービスを配送するためのブロードキャストリソースを割り当て；
前記受け取った要求に応答してアプリケーションサーバーへメッセージを送り、該メッセージは、ＭＢＭＳユーザサービスに対して第１のＢＭ−ＣＮにより割り当てられた第１のブロードキャストリソースを指示するものであり；
ＭＢＭＳユーザサービスに対して第２のＢＭ−ＣＮにより割り当てられた第２のブロードキャストリソースに関する情報をアプリケーションサーバーから受信し；及び
ＭＢＭＳユーザサービスに対する第１のブロードキャストリソース及び第２のブロードキャストリソースに関する情報を、第１のＢＭ−ＣＮ及び第２のＢＭ−ＣＮによりシェアリングされる無線アクセスネットワークに指示する；
ことを遂行するようにさせるよう構成された、装置。
【請求項４３】
前記第１のＢＭ−ＣＮ及び第２のＢＭ−ＣＮは、同じＢＭ−ＣＮである、請求項４２に記載の装置。
【請求項４４】
前記第１のＢＭ−ＣＮは、第１の公衆地上移動ネットワークに属し、そして前記第２のＢＭ−ＣＮは、異なる第２の公衆地上移動ネットワークに属し、或いは
前記第１のＢＭ−ＣＮは、第１のＭＢＭＳサービスエリアにサービスし、そして前記第２のＢＭ−ＣＮは、該第１のＭＢＭＳサービスエリアに少なくとも部分的に重畳する第２のＭＢＭＳサービスエリアにサービスする、
請求項４２に記載の装置。
【請求項４５】
前記ＭＢＭＳユーザサービスに対して第２のＢＭ−ＣＮにより割り当てられた第２のブロードキャストリソースに関する情報をアプリケーションサーバーから受信することは、
前記第１のブロードキャストリソースを識別するための第１の一時的移動グループアイデンティティ、及び前記第２のブロードキャストリソースを識別するための第２の一時的移動グループアイデンティティを前記アプリケーションサーバーから受け取る、
ことを含む、請求項４２に記載の装置。
【請求項４６】
前記ＭＢＭＳユーザサービスに対して第２のＢＭ−ＣＮにより割り当てられた第２のブロードキャストリソースに関する情報をアプリケーションサーバーから受信することは、
前記第２のブロードキャストリソースに関する情報を前記アプリケーションサーバーから第１のアクチベートＭＢＭＳベアラ要求メッセージにおいて新たな情報エレメントを経て受信する、
ことを含む、請求項４２に記載の装置。
【請求項４７】
前記ＭＢＭＳユーザサービスのための第１のブロードキャストリソース及び第２のブロードキャストリソースに関する情報を無線アクセスネットワークに指示することは、
前記ＭＢＭＳユーザサービスのための第１のブロードキャストリソース及び第２のブロードキャストリソースに関する情報を、ＭＢＭＳセッション開始要求メッセージ又はＭＢＭＳセッション更新要求メッセージを経て、ベースステーション、又は無線アクセスネットワークのマルチセル／マルチキャスト整合エンティティに指示する、
ことを含む、請求項４２から４６のいずれかに記載の装置。
【請求項４８】
前記ＭＢＭＳユーザサービスのための第１のブロードキャストリソース及び第２のブロードキャストリソースに関する情報を無線アクセスネットワークに指示することは、
前記ＭＢＭＳユーザサービスのための第１のブロードキャストリソース及び第２のブロードキャストリソースに関する情報を無線アクセスネットワークのターミナルデバイスに指示する、
ことを更に含む、請求項４７に記載の装置。
【請求項４９】
少なくとも１つのプロセッサ、及び
コンピュータプログラムコードを含む少なくとも１つのメモリ、
を備え、無線アクセスネットワークの第１のネットワークノードで少なくとも部分的に実施される装置において、
少なくとも１つのメモリ及びコンピュータプログラムコードは、少なくとも１つのプロセッサとで、装置が、少なくとも、
第１のマルチメディアブロードキャスト／マルチキャストサービス（ＭＢＭＳ）セッションを開始するための第１のメッセージを第１のブロードキャスト／マルチキャスト制御ノード（ＢＭ−ＣＮ）から受信し；
第２のＭＢＭＳセッションを開始するための第２のメッセージを第２のＢＭ−ＣＮから受信し；
第１のＭＢＭＳセッション及び第２のＭＢＭＳセッションが同じＭＢＭＳユーザサービスに関連していることを検出し；
第１及び第２のＭＢＭＳセッションに対して単一コアネットワークユーザプレーン接続及び単一ブロードキャスト無線ベアラを確立できるかどうか決定し；及び
前記決定の肯定結果に基づいて単一ブロードキャスト無線ベアラを経てターミナルデバイスへ同じＭＢＭＳユーザサービスのデータをブロードキャストする；
ことを遂行するようにさせるよう構成された、装置。
【請求項５０】
前記検出は、前記第１のメッセージ及び第２のメッセージの少なくとも１つに含まれた指示に基づくものであり、この指示は、第１のＢＭ−ＣＮ及び第２のＢＭ−ＣＮの一方により割り当てられたブロードキャストリソース、及び同じＭＢＭＳユーザサービスに対して第１のＢＭ−ＣＮ及び第２のＢＭ−ＣＮの他方により割り当てられた更に別の関連ブロードキャストリソースを指示する、請求項４９に記載の装置。
【請求項５１】
少なくとも１つのメモリ及びコンピュータプログラムコードは、少なくとも１つのプロセッサとで、装置が、
前記第１のメッセージの受信に応答してインターネットプロトコル（ＩＰ）マルチキャストグループに加わる、
ことを遂行するように更に構成された、請求項４９に記載の装置。
【請求項５２】
前記第１のＢＭ−ＣＮ及び第２のＢＭ−ＣＮは、同じＢＭ−ＣＮである、請求項４９から５１のいずれかに記載の装置。
【請求項５３】
少なくとも１つのプロセッサ、及び
コンピュータプログラムコードを含む少なくとも１つのメモリ、
を備え、無線アクセスネットワークの第２のネットワークノードで少なくとも部分的に実施される装置において、
少なくとも１つのメモリ及びコンピュータプログラムコードは、少なくとも１つのプロセッサとで、装置が、少なくとも、
第１のマルチメディアブロードキャスト／マルチキャストサービス（ＭＢＭＳ）セッションを開始するための第１のメッセージを第１のブロードキャスト／マルチキャスト制御ノード（ＢＭ−ＣＮ）から受信し；
第２のＭＢＭＳセッションを開始するための第２のメッセージを第２のＢＭ−ＣＮから受信し；
第１のＭＢＭＳセッション及び第２のＭＢＭＳセッションが同じＭＢＭＳユーザサービスに関連していることを検出し；
第１及び第２のＭＢＭＳセッションに対して単一コアネットワークユーザプレーン接続及び単一ブロードキャスト無線ベアラを確立できるかどうか決定し；及び
前記決定の肯定結果に基づいて、単一コアネットワークユーザプレーン接続を確立するようにベースステーションに命令しそしてその単一コアネットワークユーザプレーン接続から単一ブロードキャスト無線ベアラを経てターミナルデバイスへデータをブロードキャストする；
ことを遂行するようにさせるよう構成された、装置。
【請求項５４】
前記第１のＢＭ−ＣＮ及び第２のＢＭ−ＣＮは、同じＢＭ−ＣＮである、請求項５３に記載の装置。
【請求項５５】
請求項１から５の少なくとも１つに記載の方法を遂行するための手段を備えた装置。
【請求項５６】
請求項６から１２の少なくとも１つに記載の方法を遂行するための手段を備えた装置。
【請求項５７】
請求項１３から１６の少なくとも１つに記載の方法を遂行するための手段を備えた装置。
【請求項５８】
請求項１７から１８の少なくとも１つに記載の方法を遂行するための手段を備えた装置。
【請求項５９】
装置により実行されたときに、装置が請求項１から５の少なくとも１つに記載の方法を遂行するようにさせるプログラムコードが記憶された少なくとも１つのコンピュータ読み取り可能な非一時的メモリ媒体を備えたコンピュータプログラム製品。
【請求項６０】
装置により実行されたときに、装置が請求項６から１２の少なくとも１つに記載の方法を遂行するようにさせるプログラムコードが記憶された少なくとも１つのコンピュータ読み取り可能な非一時的メモリ媒体を備えたコンピュータプログラム製品。
【請求項６１】
装置により実行されたときに、装置が請求項１３から１６の少なくとも１つに記載の方法を遂行するようにさせるプログラムコードが記憶された少なくとも１つのコンピュータ読み取り可能な非一時的メモリ媒体を備えたコンピュータプログラム製品。
【請求項６２】
装置により実行されたときに、装置が請求項１７から１８の少なくとも１つに記載の方法を遂行するようにさせるプログラムコードが記憶された少なくとも１つのコンピュータ読み取り可能な非一時的メモリ媒体を備えたコンピュータプログラム製品。
【発明の詳細な説明】
【技術分野】
【０００１】
本開示の非限定及び規範的実施形態は、一般的に、ワイヤレス通信の技術的分野に関するもので、より詳細には、ブロードキャスト／マルチキャストサービスを提供するための方法、装置及びコンピュータプログラムに関する。
【背景技術】
【０００２】
本章は、開示の良好な理解を容易にする観点を紹介する。従って、本章の記載は、この点について読まねばならず、そして従来技術には何があり又は従来技術には何がないかに関して認められるものと理解してはならない。
【０００３】
本開示に使用される幾つかの略語を以下に挙げる。
３ＧＰＰ：第３世代パートナーシッププロジェクト
Ｖ２Ｘ：車対Ｘ
Ｖ２Ｖ：車対車
Ｖ２Ｐ：車対歩行者
ＭＢＭＳ：マルチメディアブロードキャスト／マルチキャストサービス
ＭＢＳＦＮ：ＭＢＭＳ単一周波数ネットワーク
ＴＭＧＩ：一時的モバイルグループアイデンティティ
ＬＴＥ：長期進化
ｅＮＢ：進化型ＮｏｄｅＢ
ＵＥ：ユーザ装置
ＡＳ：アプリケーションサーバー
ＧＣＳ：グループ通信サービス
ＧＣＳＥ：グループ通信サービスイネーブラー
ＭＣＰＴＴ：ミッションクリティカルプッシュツートーク
ＥＣＧＩ：Ｅ−ＵＴＲＡＮセルグローバル識別子
ＢＭ−ＳＣ：ブロードキャストマルチキャスト−サービスセンター
Ｒｅｌ：リリース
【０００４】
ユニキャスト通信と比較して、ＭＢＭＳサービスは、リソース効率の良い仕方でターミナルデバイスのグループへデータをブロードキャスト／マルチキャストすることが可能である。３ＧＰＰは、長期進化（ＬＴＥ）リリース１２（Ｒｅｌ−１２）において進化型ＭＢＭＳ（ｅＭＢＭＳ）を伴うグループ通信サービスイネーブラー（ＧＣＳＥ）アーキテクチャーを規定し、そしてそのＧＣＳＥアーキテクチャーの詳細な説明は、例えば、３ＧＰＰ仕様書ＴＳ２３．２４６（Ｖ１３．０．０）に見ることができる。
【０００５】
ＭＢＭＳは、Ｖ２Ｘ使用の場合に有用であると考えられる。Ｖ２Ｘ通信は、車と歩行者とインフラストラクチャーとの間の直接的通信の組み合わせを含む。例えば、Ｖ２Ｘは、車対車（Ｖ２Ｖ）又は車対歩行者（Ｖ２Ｐ）の通信を含む。ＬＴＥ  Ｒｅｌ−１４では、３ＧＰＰサービス及びシステムアスペクト２（ＳＡ２）ワーキンググループは、ＬＴＥ  Ｒｅｌ−１４のＴＲ２３．７８５（Ｖ０．２．０）における全Ｖ２Ｘアーキテクチャーについて現在研究中である。１つの研究領域は、Ｖ２Ｘ  ＡＳをＧＣＳ  ＡＳとして作用させてＧＣＳＥアーキテクチャーを再使用することによるＶ２Ｖ及びＶ２ＰサービスのためのＶ２Ｘメッセージ送信に関連している。
【０００６】
本開示では、ブロードキャスト／マルチキャストサービスを提供するための方法、装置及びコンピュータプログラムが提供される。幾つかの実施形態をｅＭＢＭＳシナリオでＶ２Ｘに適用できるが、本開示の実施形態は、それに限定されず、一般的なマルチキャスト／ブロードキャストシナリオに広く適用することができる。
【発明の概要】
【発明が解決しようとする課題】
【０００７】
本開示の種々の実施形態は、主として、ブロードキャスト／マルチキャストサービスを提供するための方法、装置及びコンピュータプログラムを提供することを目的とする。例えば、本開示の実施形態の原理を例示する添付図面と共に読んだときには特定の実施形態の以下の説明から本開示の実施形態の他の特徴及び効果も理解されるであろう。
【課題を解決するための手段】
【０００８】
本開示の第１の観点において、アプリケーションサーバーで少なくとも部分的に実施される方法が提供される。この方法は、リソース要求メッセージを第１のブロードキャスト／マルチキャスト制御ノード（ＢＭ−ＣＮ）へ送信して、マルチメディアブロードキャスト／マルチキャストサービス（ＭＢＭＳ）ユーザサービスを配送するためのブロードキャストリソースの割り当てを要求し；更に別のリソース要求メッセージを第２のＢＭ−ＣＮへ送信して、ＭＢＭＳユーザサービスを配送するためのブロードキャストリソースの更に別の割り当てを要求し；第１のＢＭ−ＣＮから第１の応答メッセージをそして第２のＢＭ−ＣＮから第２の応答メッセージを受信し、第１の応答メッセージは、ＭＢＭＳユーザサービスのために第１のＢＭ−ＣＮにより割り当てられた第１のブロードキャストリソースを指示し、及び第２の応答メッセージは、ＭＢＭＳユーザサービスのために第２のＢＭ−ＣＮにより割り当てられた第２のブロードキャストリソースを指示するものであり；及び第２のブロードキャストリソースに関する情報を第１のＢＭ−ＣＮに指示し、及び／又は第１のブロードキャストリソースに関する情報を第２のＢＭ−ＣＮに指示する；ことを含む。
【０００９】
ある実施形態において、第１のＢＭ−ＣＮ及び第２のＢＭ−ＣＮは、同じＢＭ−ＣＮである。別の実施形態において、第１のＢＭ−ＣＮは、第１の公衆地上移動ネットワーク（ＰＬＭＮ）に属しそして第２のＢＭ−ＣＮは、異なる第２のＰＬＭＮに属し、或いは第１のＢＭ−ＣＮは、第１のＭＢＭＳサービスエリアにサービスし、そして第２のＢＭ−ＣＮは、第１のＭＢＭＳサービスエリアに少なくとも部分的に重畳する第２のＭＢＭＳサービスエリアにサービスする。
【００１０】
ある実施形態において、前記第２のブロードキャストリソースに関する情報を第１のＢＭ−ＣＮに指示すること、及び／又は前記第１のブロードキャストリソースに関する情報を第２のＢＭ−ＣＮに指示することは、前記第１のブロードキャストリソースを識別するための第１の一時的移動グループアイデンティティ（ＴＭＧＩ）、及び前記第２のブロードキャストリソースを識別するための第２のＴＭＧＩを前記第１のＢＭ−ＣＮ及び／又は第２のＢＭ−ＣＮに指示することを含む。
【００１１】
別の実施形態において、前記第２のブロードキャストリソースに関する情報を第１のＢＭ−ＣＮに指示すること、及び／又は前記第１のブロードキャストリソースに関する情報を第２のＢＭ−ＣＮに指示することは、前記第２のブロードキャストリソースに関する情報を新たな情報エレメント（ＩＥ）として第１のアクチベートＭＢＭＳベアラ要求メッセージに含ませ、そして該第１のアクチベートＭＢＭＳベアラ要求メッセージを第１のＢＭ−ＣＮへ送信し；及び／又は前記第１のブロードキャストリソースに関する情報を新たなＩＥとして第２のアクチベートＭＢＭＳベアラ要求メッセージに含ませ、そして該第２のアクチベートＭＢＭＳベアラ要求メッセージを第２のＢＭ−ＣＮへ送信する；ことを含む。別の実施形態において、それとは別に、既存のメッセージの既存のＩＥを使用することにより、第２／第１のブロードキャストリソースに関する情報が送信されてもよい。
【００１２】
本開示の第２の観点において、第１のブロードキャスト／マルチキャスト制御ノード（ＢＭ−ＣＮ）で少なくとも部分的に実施される方法において、第１のＢＭ−ＣＮのアプリケーションサーバーから要求を受け取って、マルチメディアブロードキャスト／マルチキャストサービス（ＭＢＭＳ）ユーザサービスを配送するためのブロードキャストリソースを割り当て；前記受け取った要求に応答してアプリケーションサーバーへメッセージを送り、該メッセージは、ＭＢＭＳユーザサービスに対して第１のＢＭ−ＣＮにより割り当てられた第１のブロードキャストリソースを指示するものであり；ＭＢＭＳユーザサービスに対して第２のＢＭ−ＣＮにより割り当てられた第２のブロードキャストリソースに関する情報をアプリケーションサーバーから受信し；及びＭＢＭＳユーザサービスに対する第１のブロードキャストリソース及び第２のブロードキャストリソースに関する情報を、第１のＢＭ−ＣＮ及び第２のＢＭ−ＣＮによりシェアリングされる無線アクセスネットワーク（ＲＡＮ）に指示する；ことを含む方法が提供される。
【００１３】
ある実施形態において、第１のＢＭ−ＣＮ及び第２のＢＭ−ＣＮは、同じＢＭ−ＣＮである。別の実施形態において、第１のＢＭ−ＣＮは、第１のＰＬＭＮに属しそして第２のＢＭ−ＣＮは、異なる第２のＰＬＭＮに属し、或いは第１のＢＭ−ＣＮは、第１のＭＢＭＳサービスエリアにサービスし、そして第２のＢＭ−ＣＮは、第１のＭＢＭＳサービスエリアに少なくとも部分的に重畳する第２のＭＢＭＳサービスエリアにサービスする。
【００１４】
ある実施形態において、ＭＢＭＳユーザサービスに対して第２のＢＭ−ＣＮにより割り当てられた第２のブロードキャストリソースに関する情報をアプリケーションサーバーから受信することは、前記第１のブロードキャストリソースを識別するための第１の一時的移動グループアイデンティティ（ＴＭＧＩ）、及び前記第２のブロードキャストリソースを識別するための第２のＴＭＧＩをアプリケーションサーバーから受けることを含む。別の実施形態において、ＭＢＭＳユーザサービスに対して第２のＢＭ−ＣＮにより割り当てられた第２のブロードキャストリソースに関する情報をアプリケーションサーバーから受信することは、前記第２のブロードキャストリソースに関する情報をアプリケーションサーバーから第１のアクチベートＭＢＭＳベアラ要求メッセージにおいて新たな情報エレメント（ＩＥ）を経て受信することを含む。別の実施形態において、それとは別に、既存のメッセージの既存のＩＥを経て、第２／第１のブロードキャストリソースに関する情報が受信されてもよい。
【００１５】
更に別の実施形態において、ＭＢＭＳユーザサービスのための第１のブロードキャストリソース及び第２のブロードキャストリソースに関する情報をＲＡＮに指示することは、ＭＢＭＳユーザサービスのための第１のブロードキャストリソース及び第２のブロードキャストリソースに関する情報を、ＭＢＭＳセッション開始要求又はＭＢＭＳセッション更新要求メッセージを経て、ベースステーション、又はＲＡＮのマルチセル／マルチキャスト整合エンティティ（ＭＣＥ）に指示することを含む。更に別の実施形態において、ＭＢＭＳユーザサービスのための第１のブロードキャストリソース及び第２のブロードキャストリソースに関する情報をＲＡＮに指示することは、更に、ＭＢＭＳユーザサービスのための第１のブロードキャストリソース及び第２のブロードキャストリソースに関する情報をＲＡＮのターミナルデバイスに指示することを含む。
【００１６】
本開示の第３の観点において、無線アクセスネットワーク（ＲＡＮ）の第１のネットワークノードで少なくとも部分的に実施される方法が提供される。この方法は、第１のマルチメディアブロードキャスト／マルチキャストサービス（ＭＢＭＳ）セッションを開始するための第１のメッセージを第１のブロードキャスト／マルチキャスト制御ノード（ＢＭ−ＣＮ）から受信し；第２のＭＢＭＳセッションを開始するための第２のメッセージを第２のＢＭ−ＣＮから受信し；第１のＭＢＭＳセッション及び第２のＭＢＭＳセッションが同じＭＢＭＳユーザサービスに関連していることを検出し；第１及び第２のＭＢＭＳセッションに対して単一コアネットワークユーザプレーン接続及び単一ブロードキャスト無線ベアラを確立できるかどうか決定し；及び前記決定の肯定結果に基づいて単一ブロードキャスト無線ベアラを経てターミナルデバイスへ同じＭＢＭＳユーザサービスのデータをブロードキャストする；ことを含む。
【００１７】
ある実施形態において、前記検出は、第１のメッセージ及び第２のメッセージの少なくとも１つに含まれた指示に基づくものであり、この指示は、第１のＢＭ−ＣＮ及び第２のＢＭ−ＣＮの一方により割り当てられたブロードキャストリソース、及び同じＭＢＭＳユーザサービスに対して第１のＢＭ−ＣＮ及び第２のＢＭ−ＣＮの他方により割り当てられた更に別の関連ブロードキャストリソースを指示する。
【００１８】
別の実施形態において、この方法は、前記第１のメッセージの受信に応答してインターネットプロトコル（ＩＰ）マルチキャストグループに加わることを更に含む。
【００１９】
本開示の第４の観点において、無線アクセスネットワーク（ＲＡＮ）の第２のネットワークノードで少なくとも部分的に実施される方法が提供される。この方法は、第１のマルチメディアブロードキャスト／マルチキャストサービス（ＭＢＭＳ）セッションを開始するためのメッセージを第１のブロードキャスト／マルチキャスト制御ノード（ＢＭ−ＣＮ）から受信し；第２のＭＢＭＳセッションを開始するための更に別のメッセージを第２のＢＭ−ＣＮから受信し；第１のＭＢＭＳセッション及び第２のＭＢＭＳセッションが同じＭＢＭＳユーザサービスに関連していることを検出し；第１及び第２のＭＢＭＳセッションに対して単一コアネットワークユーザプレーン接続及び単一ブロードキャスト無線ベアラを確立できるかどうか決定し；及び前記決定の肯定結果に基づいて、単一コアネットワークユーザプレーン接続を確立するようにベースステーションに命令しそしてその単一コアネットワークユーザプレーン接続から単一ブロードキャスト無線ベアラを経てターミナルデバイスへデータをブロードキャストする；ことを含む。
【００２０】
本開示の第５の観点において、アプリケーションサーバーで少なくとも部分的に実施される装置が提供される。この装置は、リソース要求メッセージを第１のブロードキャスト／マルチキャスト制御ノード（ＢＭ−ＣＮ）へ送信して、マルチメディアブロードキャスト／マルチキャストサービス（ＭＢＭＳ）ユーザサービスを配送するためのブロードキャストリソースの割り当てを要求するように構成された第１のリソース要求ユニット；更に別のリソース要求メッセージを第２のＢＭ−ＣＮへ送信して、ＭＢＭＳユーザサービスを配送するためのブロードキャストリソースの更に別の割り当てを要求するように構成された第２のリソース要求ユニット；第１のＢＭ−ＣＮから第１の応答メッセージをそして第２のＢＭ−ＣＮから第２の応答メッセージを受信するように構成された受信ユニットであって、第１の応答メッセージは、ＭＢＭＳユーザサービスのために第１のＢＭ−ＣＮにより割り当てられた第１のブロードキャストリソースを指示し、及び第２の応答メッセージは、ＭＢＭＳユーザサービスのために第２のＢＭ−ＣＮにより割り当てられた第２のブロードキャストリソースを指示するものである受信ユニット；及び第２のブロードキャストリソースに関する情報を第１のＢＭ−ＣＮに指示し、及び／又は第１のブロードキャストリソースに関する情報を第２のＢＭ−ＣＮに指示するように構成された指示ユニット；を備えている。
【００２１】
本開示の第６の観点において、第１のブロードキャスト／マルチキャスト制御ノード（ＢＭ−ＣＮ）で少なくとも部分的に実施される装置が提供される。この装置は、第１のＢＭ−ＣＮのアプリケーションサーバーから要求を受け取って、マルチメディアブロードキャスト／マルチキャストサービス（ＭＢＭＳ）ユーザサービスを配送するためのブロードキャストリソースを割り当てるように構成された要求受け取りユニット；前記受け取った要求に応答してアプリケーションサーバーへメッセージを送るように構成された応答ユニットであって、該メッセージは、ＭＢＭＳユーザサービスに対して第１のＢＭ−ＣＮにより割り当てられた第１のブロードキャストリソースを指示するものである応答ユニット；ＭＢＭＳユーザサービスに対して第２のＢＭ−ＣＮにより割り当てられた第２のブロードキャストリソースに関する情報をアプリケーションサーバーから受信するように構成された情報受信ユニット；及びＭＢＭＳユーザサービスに対する第１のブロードキャストリソース及び第２のブロードキャストリソースに関する情報を、第１のＢＭ−ＣＮ及び第２のＢＭ−ＣＮによりシェアリングされる無線アクセスネットワーク（ＲＡＮ）に指示するように構成された通知ユニット；を備えている。
【００２２】
本開示の第７の観点において、無線アクセスネットワーク（ＲＡＮ）の第１のネットワークノードで少なくとも部分的に実施される装置が提供される。この装置は、第１のマルチメディアブロードキャスト／マルチキャストサービス（ＭＢＭＳ）セッションを開始するための第１のメッセージを第１のブロードキャスト／マルチキャスト制御ノード（ＢＭ−ＣＮ）から受信するように構成された第１のメッセージ受信ユニット；第２のＭＢＭＳセッションを開始するための第２のメッセージを第２のＢＭ−ＣＮから受信するように構成された第２のメッセージ受信ユニット；第１のＭＢＭＳセッション及び第２のＭＢＭＳセッションが同じＭＢＭＳユーザサービスに関連していることを検出するように構成された検出ユニット；第１及び第２のＭＢＭＳセッションに対して単一コアネットワークユーザプレーン接続及び単一ブロードキャスト無線ベアラを確立できるかどうか決定するように構成された決定ユニット；及び前記決定の肯定結果に基づいて単一ブロードキャスト無線ベアラを経てターミナルデバイスへ同じＭＢＭＳユーザサービスのデータをブロードキャストするように構成されたブロードキャストユニット；を備えている。
【００２３】
本開示の第８の観点において、無線アクセスネットワーク（ＲＡＮ）の第２のネットワークノードで少なくとも部分的に実施される装置が提供される。この装置は、第１のマルチメディアブロードキャスト／マルチキャストサービス（ＭＢＭＳ）セッションを開始するためのメッセージを第１のブロードキャスト／マルチキャスト制御ノード（ＢＭ−ＣＮ）から受信するように構成された第１の受信ユニット；第２のＭＢＭＳセッションを開始するための更に別のメッセージを第２のＢＭ−ＣＮから受信するように構成された第２の受信ユニット；第１のＭＢＭＳセッション及び第２のＭＢＭＳセッションが同じＭＢＭＳユーザサービスに関連していることを検出するように構成された検出ユニット；第１及び第２のＭＢＭＳセッションに対して単一コアネットワークユーザプレーン接続及び単一ブロードキャスト無線ベアラを確立できるかどうか決定するように構成された決定ユニット；及び前記決定の肯定結果に基づいて、単一コアネットワークユーザプレーン接続を確立するようにベースステーションに命令しそしてその単一コアネットワークユーザプレーン接続から単一ブロードキャスト無線ベアラを経てターミナルデバイスへデータをブロードキャストするように構成された命令ユニット；を備えている。
【００２４】
本開示の第９の観点において、少なくとも１つのプロセッサ、及びコンピュータプログラムコードを含む少なくとも１つのメモリを備えた装置であって、少なくとも１つのメモリ及びコンピュータプログラムコードは、少なくとも１つのプロセッサとで、装置が、少なくとも、本開示の第１、第２、第３又は第４の観点による方法を遂行するようにさせるよう構成された装置が提供される。
【００２５】
本開示の第１０の観点において、本開示の第１、第２、第３又は第４の観点による方法を遂行するようにされた処理手段を備えた装置が提供される。
【００２６】
本開示の第１１の観点において、装置により実行されたときに、装置が本開示の第１、第２、第３又は第４の観点による方法を遂行するようにさせるプログラムコードが記憶された少なくとも１つのコンピュータ読み取り可能な非一時的メモリ媒体を備えたコンピュータプログラムが提供される。
【００２７】
上述した種々の観点及び実施形態により、ブロードキャスト／マルチキャストサービスを提供する効率を改善することができる。
【００２８】
本開示の前記及び他の観点、特徴、及び利益は、同じ参照番号又は文字を使用して同じ又は同等の要素を指示する添付図面を参照した以下の詳細な説明から一例としてより完全に明らかとなるであろう。添付図面は、本開示の実施形態の良好な理解を容易にするためのもので、必ずしも正しいスケールで描かれていない。
【図面の簡単な説明】
【００２９】
【図１】ＧＣＳＥアーキテクチャーを再使用するＶ２Ｘメッセージ送信のための規範的なネットワーク構造を示す。
【図２】ＲＡＮシェアリングでのＶ２Ｘシナリオの一例を示す。
【図３】本開示の実施形態によりアプリケーションサーバーで少なくとも部分的に実施される方法のフローチャートである。
【図４】本開示の実施形態によりブロードキャスト／マルチキャスト制御ノード（ＢＭ−ＣＮ）で少なくとも部分的に実施される方法のフローチャートである。
【図５】本開示の実施形態によりＲＡＮネットワークノードで少なくとも部分的に実施される方法のフローチャートである。
【図６】本開示の実施形態により別のＲＡＮネットワークノードで少なくとも部分的に実施される方法のフローチャートである。
【図７】本開示の実施形態によりＭＢＭＳユーザサービスを配送するためのＡＳ、ＢＭ−ＳＣ、ｅＮＢ／ＭＣＥ及びＵＥ間のシグナリングフローの概略図である。
【図８】本開示の実施形態によるアプリケーションサーバーにおける装置の簡単なブロック図である。
【図９】本開示の実施形態によるＢＭ−ＣＮにおける装置の簡単なブロック図である。
【図１０】本開示の実施形態によるＲＡＮネットワークノードにおける装置の簡単なブロック図である。
【図１１】本開示の実施形態による別のＲＡＮネットワークノードにおける装置の簡単なブロック図である。
【図１２ａ】本開示の実施形態によるアプリケーションサーバー、ＢＭ−ＣＮ及びＲＡＮネットワークノードにおける装置の簡単なブロック図である。
【図１２ｂ】本開示の実施形態によるアプリケーションサーバー、ＢＭ−ＣＮ及びＲＡＮネットワークノードにおける装置の簡単なブロック図である。
【発明を実施するための形態】
【００３０】
以下、規範的実施形態を参照して本開示の原理及び精神を説明する。それらの実施形態は、全て、当業者が本開示を良く理解して実施するためにのみ与えられたもので、本開示の範囲を限定するものではないことを理解されたい。例えば、１つの実施形態の一部分として例示し又は述べる特徴を別の実施形態と共に使用して、更に別の実施形態を生み出すこともできる。明瞭化のため、本明細書では、実際の実施形態の全ての特徴を述べるものではない。
【００３１】
本明細書において、「ある実施形態」、「一実施形態」、「規範的実施形態」等を言及するときは、そこに述べる実施形態が特定の特徴、構造又は特性を含むことを示すが、各実施形態が特定の特徴、構造又は特性を含む必要はない。更に、そのような語句は、必ずしも同じ実施形態を指していない。更に、特定の特徴、構造又は特性が一実施形態に関連して述べられるときには、そのような特徴、構造又は特性を、明確に述べるか否かに関わらず、他の実施形態に関連して影響させることは当業者の知識の範囲内であると言える。
【００３２】
「第１」及び「第２」等の語は、ここでは、種々の要素を述べるために使用されるが、それらの要素は、それらの語によって限定されないことを理解されたい。それらの語は、ある要素を別の要素と区別するためにのみ使用される。例えば、規範的実施形態の範囲から逸脱せずに、第１の要素を第２の要素と称することもでき、そして同様に、第２の要素を第１の要素と称することもできる。又、ここで使用する「及び／又は」という用語は、１つ以上の列挙された関連用語の任意の組み合せ及び全ての組み合せを含む。
【００３３】
ここで使用する語彙は、特定の実施形態を説明するという目的のためだけであり、規範的実施形態を限定するものではない。又、ここで使用する単数形態「ａ」「an」及び「the」は、明確な指示のない限り、複数形態も含むものとする。更に、「備える(comprises)」、「備えている(comprising)」、「有する(has)」、「有している(having)」、「含む(includes)」及び／又は「含んでいる(including)」という語は、ここで使用するときは、述べられた特徴、要素及び／又はコンポーネント、等の存在を特定するものであるが、１つ以上の他の特徴、要素、コンポーネント及び／又はその組み合せの存在又は追加を除外するものではない。
【００３４】
以下の説明及び請求の範囲において、特に規定のない限り、ここで使用する全ての技術的及び科学的な用語は、本開示が属する分野の当業者が普通に理解するものと同じ意味をもつ。例えば、ここで使用する「デバイス(device)」という用語は、これに限定されないが、移動電話、セルラーホン、スマートホン、又はパーソナルデジタルアシスタント（ＰＤＡ）、ポータブルコンピュータ、デジタルカメラ等の画像捕獲装置、ゲーム機、ミュージック記憶・再生機器、着用型デバイス、車載用ワイヤレスデバイス、等を含めて、ワイヤレス通信能力を有するターミナルデバイス又はユーザ装置（ＵＥ）を指す。以下の説明において、「デバイス」、「ターミナルデバイス」、「ユーザ装置」及び「ＵＥ」という用語は、交換可能に使用される。同様に、「ベースステーション」という用語は、ベースステーション（ＢＳ）、ノードＢ（ＮｏｄｅＢ又はＮＢ）、進化型ＮｏｄｅＢ（ｅＮｏｄｅＢ又はｅＮＢ）、リモート無線ユニット（ＲＲＵ）、無線ヘッド（ＲＨ）、リモート無線ヘッド（ＲＲＨ）、リレーノード（ＲＮ）、低電力ノード（ＬＰＮ）、例えば、フェムト、ピコ、アクセスポイント（ＡＰ）、等を表わす。
【００３５】
例示の目的で、３ＧＰＰ  ＬＴＥシステムに関連して本開示の多数の実施形態を説明する。しかしながら、当業者であれば、本開示の多数の実施形態の概念及び原理を、他のワイヤレスネットワーク、例えば、第３世代（３Ｇ）ＣＤＭＡベースのネットワーク又は将来のネットワーク（例えば、第５世代のシステム）に更に一般的に適用できることが明らかであろう。
【００３６】
本開示の非限定の及び規範的な実施形態は、ブロードキャスト／マルチキャスト通信に関連している。ＬＴＥシステムでは、ブロードキャスト／マルチキャスト通信は、ＭＢＭＳサービスを経て提供することができる。ＭＢＭＳは、コアネットワークを経てブロードキャスト／マルチキャストの両サービスに対して効率的な配送モードを与えることを目的とする。３ＧＰＰ  ＬＴＥでは、ＴＳ２３．２４６に規定されたＭＢＭＳアーキテクチャーを経てＧＣＳＥダウンリンクブロードキャストが実施される。図１には、ＧＣＳＥアーキテクチャーを再使用するＶ２Ｘメッセージ送信のための規範的ネットワーク構造１００が示されており、Ｖ２Ｘ  ＡＳは、ＧＣＳ  ＡＳ１０１として働く。この規範的ネットワーク構造では、重要なネットワークエンティティは、ＧＣＳのアプリケーションサーバー（図１においてＧＣＳ  ＡＳ及びＶ２Ｘ  ＡＳ１０１として示された）及びブロードキャスト／マルチキャストサービスセンター（ＢＭ−ＳＣ）１０２を含む。トラフィックは、ＧＣＳ  ＡＳ１０１からＢＭ−ＳＣ１０２に向かい、次いで、ＢＭ−ＳＣは、例えば、それをＭＢＭＳゲートウェイ（ＭＢＭＳ  ＧＷ）１０３へ転送し、Ｅ−ＵＴＲＡＮ１０４のような無線アクセスネットワーク（ＲＡＮ）を経てターミナルデバイスへ送信する。Ｅ−ＵＴＲＡＮ１０４は、ｅＮＢの形態のベースステーション（図１には示さず）を経てターミナルデバイスへサービスを提供する。
【００３７】
ＭＢＭＳサービスは、ネットワークシェアリングシナリオで提供される。ネットワークシェアリングは、運営者が移動ネットワークのための多大な配備コストをシェアする方法であり、ネットワークシェアリングアーキテクチャーは、異なるコアネットワーク運営者がシェアされた無線アクセスネットワーク（ＲＡＮ）に接続するのを許さねばならない。ネットワークシェアリングの詳細は、例えば、３ＧＰＰ  ＴＳ２３．２５１に見られる。図２は、ＲＡＮシェアリングを伴うＶ２Ｘシナリオ２００を概略的に示す。図２から明らかなように、同じＶ２Ｘ  ＡＳ２０１が、各々ＢＭ−ＳＣ１０２及びＢＭ−ＳＣ１０３との２つの個別のＭＢ２インターフェイスを経て、ＰＬＭＮ  Ａ２１１及びＰＬＭＮ  Ｂ２１２の両方に接続される。図２の中央のエリア２１３は、シェア型のＲＡＮ構成で動作される。ＵＥ２０４は、ＰＬＭＮ−Ａ２１１にアタッチされ、そしてＰＬＭＮ−Ｂ２１２にアタッチされたＵＥ２０５は、それに対応するＰＬＭＮ特有のベアラを各々受信する。ＰＬＭＮ  Ａ及びＰＬＭＮ  Ｂのベアラは、この例では、ＴＭＧＩ−Ａ及びＴＭＧＩ−Ｂにより各々識別される。このＴＭＧＩは、ＵＥがそれに対応するＰＬＭＮを横切って他の側へ移動するときに変化しない。
【００３８】
ネットワークシェアリングを伴う現在のＭＢＭＳアーキテクチャーでは、各サービングＰＬＭＮは、それ自身のＭＢＭＳインフラストラクチャーを支持し、そして他のＰＬＭＮを考慮せずにそのコンテンツをブロードキャストする。又、各ＰＬＭＮのＢＭ−ＳＣは、ＴＳ２３．４６８［ｖ１３．３．０］に規定されたＭＢ２手順の間にＧＣＳ  ＡＳに提供されるＭＢＭＳベアラサービスのためのＰＬＭＮ特有の一時的移動グループアイデンティティ（ＴＭＧＩ）を指定する。その結果、各ＴＭＧＩのＭＢＭＳデータは、他のＴＭＧＩのＭＢＭＳデータとは独立して、異なる論理的チャンネルアイデンティティ（ＬＣＩＤ）でエアインターフェイスを経て送信される。これは、移動ネットワーク運営者（ＭＮＯ）がそのＰＬＭＮにおける有効な契約でＵＥのみにＶ２Ｘへのアクセスを制限するときに受け容れられる。
【００３９】
Ｖ２Ｘサービスが複数のＰＬＭＮによって提供されるエリアでは、Ｖ２Ｘサービスは、Ｖ２Ｘサービスへのアクセスが所与のＰＬＭＮのみのＵＥに限定される場合に、所与のジオロケーションでブロードキャストされるＶ２ＸデータがＭＢＭＳベアラサービスに使用される複数のＰＬＭＮにおいて同一であることを保証しなければならない。例えば、図２に示す例では、データが同じＶ２Ｘ  ＡＳにより両ＢＭ−ＳＣへ送信されそしてブロードキャストエリアへのＶ２Ｘメッセージは同一であると仮定する。これは、Ｖ２Ｘサービスに対して非常に可能性の高いシナリオである。本開示の発明者は、複数のＰＬＭＮが図２に示したシェア型ＲＡＮ構成で動作するとき、最適化をしないと、ＰＬＭＮ−ＡのＢＭ−ＳＣ及びＰＬＭＮ−ＢのＢＭ−ＳＣは、同じデータをシェア型ＲＡＮの同じｅＮＢへ送信して、２つのＭＢＭＳ無線ベアラ（ＭＲＢ）を経てデータをブロードキャストし、即ち各ＰＬＭＮの個別のＭＲＢを経てデータをブロードキャストすることが分かった。その結果、バックホール及び無線容量の両方が浪費される。それ故、ＲＡＮが、そのような場合、コアネットワーク及びエアインターフェイスを経て同じデータの複数のコピーを送信する必要はない。
【００４０】
又、本開示の発明者は、同じｅＮＢによりサービスされ且つ少なくとも部分的に重畳する複数のＭＢＭＳサービスエリアにおいてＶ２Ｘサーバーがコンテンツの配布を要求するときには、単一ＰＬＭＮのシナリオでも同様の問題が生じることが分かった。
【００４１】
前記問題の少なくとも一部分を解決するために、本開示において方法、装置及びコンピュータプログラムが提供される。又、ここに提案する原理は、同様の問題が生じる場合には、上述した他のシナリオにも適用できることを理解されたい。
【００４２】
ここで、本開示の実施形態による方法３００のフローチャートである図３を参照する。この方法３００は、アプリケーションサーバー（例えば、図１に示すＧＣＳ  ＡＳ１０１又は図２に示すＶ２Ｘ  ＡＳ２０１）で少なくとも部分的に実施される。
【００４３】
図３に示すように、方法３００は、ブロック３１０において、リソース要求メッセージを第１のブロードキャスト／マルチキャスト制御ノード（ＢＭ−ＣＮ）へ送信して、ＭＢＭＳユーザサービスを配送するためのブロードキャストリソースの割り当てを要求し；
ブロック３２０において、更に別のリソース要求メッセージを第２のＢＭ−ＣＮへ送信して、ＭＢＭＳユーザサービスを配送するためのブロードキャストリソースの更に別の割り当てを要求し；ブロック３３０において、第１のＢＭ−ＣＮから第１の応答メッセージをそして第２のＢＭ−ＣＮから第２の応答メッセージを受信し、第１の応答メッセージは、ＭＢＭＳユーザサービスのために第１のＢＭ−ＣＮにより割り当てられた第１のブロードキャストリソースを指示し、及び第２の応答メッセージは、ＭＢＭＳユーザサービスのために第２のＢＭ−ＣＮにより割り当てられた第２のブロードキャストリソースを指示するものであり；及びブロック３４０において、第２のブロードキャストリソースに関する情報を第１のＢＭ−ＣＮに指示し、及び／又は第１のブロードキャストリソースに関する情報を第２のＢＭ−ＣＮに指示する；ことを含む。
【００４４】
ブロック３４０において指示される情報は、ＢＭ−ＣＮによりＲＡＮネットワークノードへ転送され、これにより、ＲＡＮネットワークノードは、単一のブロードキャスト無線ベアラを経て同じＭＢＭＳを配送することができる。それ故、本開示の実施形態では、リソースの浪費が減少され又は回避される。
【００４５】
ある実施形態において、ＢＭ−ＣＮは、ブロードキャストマルチキャストサービスセンター（例えば、図２に示すＢＭ−ＳＣ  Ａ２０２及びＢＭ−ＳＣ  Ｂ２０３或いは図１に示すＢＭ−ＳＣ１０２のようにＢＭ−ＳＣとも称される）である。しかしながら、本開示の実施形態は、これに限定されない。例えば、別の実施形態では、ＢＭ−ＣＮは、同様の機能をもつ適当なネットワークノードでもよい。
【００４６】
幾つかの実施形態において、図２の例に示すように、第１のＢＭ−ＣＮは、第１のＰＬＭＮに属しそして第２のＢＭ−ＣＮは、異なる第２のＰＬＭＮに属する。この例では、ＰＬＭＮ  Ａ及びＰＬＭＮ  Ｂは、同じＲＡＮをシェアし、そして第１のＢＭ−ＣＮは、ＢＭ−ＳＣ  Ａであり、第２のＢＭ−ＣＮは、ＢＭ−ＳＣ  Ｂである。ある実施形態では、ＡＳは、両ＰＬＭＮ  Ａ及びＰＬＭＮ  Ｂにより割り当てられたリソースを含む、ＭＢＭＳユーザサービスのために割り当てられたリソースについて、ブロック３４０において、ＢＭ−ＳＣ  Ａ（及び／又はＢＭ−ＳＣ  Ｂ）に通知する。この情報がＢＭ−ＳＣ  Ａ（及び／又はＢ）によりＲＡＮノードへ配送されるとき、ＲＡＮノードは、２つの割り当てられたリソースが同じＢＭ−ＣＮユーザサービスに関連していることに気付き、そしてそれに対応するデータを、単一無線ベアラを経てターミナルデバイスへブロードキャストして、リソース、電力及び容量を節約することができる。別の実施形態では、ブロック３４０において、ＡＳは、別のＰＬＭＮによりＭＢＭＳユーザサービスのために割り当てられるリソースのみについてＢＭ−ＳＣ  Ａ（及び／又はＢＭ−ＳＣ  Ｂ）に通知し、即ち、受信側ＢＭ−ＳＣそれ自体により割り当てられるリソースは、指示されなくてよい。又、これら実施形態は、第１のＢＭ−ＣＮ及び第２のＢＭ−ＣＮの両方が同じＰＬＭＮに属するシナリオにも適用できることを理解されたい。
【００４７】
別の実施形態では、第１のＢＭ−ＣＮ及び第２のＢＭ−ＣＮは、同じＢＭ−ＣＮである。この実施形態では、アプリケーションサーバーによりブロック３１０において送信されるリソース要求メッセージ及びブロック３２０において送信される更に別のリソース要求メッセージは、同じＭＢＭＳユーザサービスのためのリソースを異なるパラメータで要求する。例えば、更に別のリソース要求メッセージを使用することにより、アプリケーションサーバーは、ブロック３２０において送信されるリソース要求メッセージで指示されるものではなく、広いサービスエリアに提供されるべきＭＢＭＳユーザサービスを要求することができる。
【００４８】
別の実施形態では、第１のＢＭ−ＣＮは、第１のＭＢＭＳサービスエリアにサービスし、そして第２のＢＭ−ＣＮは、第１のＭＢＭＳサービスエリアに少なくとも部分的に重畳する異なる第２のＭＢＭＳサービスエリアにサービスする。この実施形態では、重畳するＭＢＭＳサービスエリアに同じＭＢＭＳサービスを提供することが必要である。方法３００を使用すると、ＡＳは、ブロック３４０において、ＭＢＭＳユーザサービスのためのリソース割り当て（両ＢＭ−ＣＮにより又は別のＢＭ−ＣＮのみにより割り当てられたリソースを含む）を第１のＢＭ−ＣＮ（及び／又は第２のＢＭ−ＣＮ）に指示し、そして第１のＢＭ−ＣＮ（及び／又は第２のＢＭ−ＣＮ）は、次いで、同じＭＢＭＳユーザサービスのために両ＢＭ−ＣＮにより割り当てられたリソースを、重畳するＭＢＭＳサービスエリアにサービスするＲＡＮノードに通知することができる。これにより、ＲＡＮノードは、単一の無線ベアラで重畳エリアにＭＢＭＳユーザサービスを配送することができる。
【００４９】
１つの例として、ＭＢＭＳユーザサービスのために割り当てられるリソースは、一時的移動グループアイデンティティ（ＴＭＧＩ）により識別される。この例では、ブロック３３０において、ＡＳは、第１のＢＭ−ＣＮから第１のＴＭＧＩ（例えば、簡単化のためにＴＭＧＩ＃１として示された）を受け取り、そしてブロック３４０において、ＡＳは、ＴＭＧＩ＃２（又はＴＭＧＩ＃１及びＴＭＧＩ＃２の両方）を第１のＢＭ−ＣＮに指示し、及び／又はＭＧＩ＃１（又はＴＭＧＩ＃１及びＴＭＧＩ＃２の両方）を第２のＢＭ−ＣＮに指示する。
【００５０】
本開示の実施形態は、ブロック３４０で指示された情報を搬送するための特定のシグナリングに限定されないことを理解されたい。限定ではなく単なる例示として、ブロック３４０において、ＡＳは、第２のブロードキャストリソース（又は第１のブロードキャストリソース及び第２のブロードキャストリソースの両方）に関する情報を新たな情報エレメント（ＩＥ）として第１のアクチベートＭＢＭＳベアラ要求メッセージに含ませ、そして該第１のアクチベートＭＢＭＳベアラ要求メッセージを第１のＢＭ−ＣＮへ送信し；及び／又は第１のブロードキャストリソース（又は第１のブロードキャストリソース及び第２のブロードキャストリソースの両方）に関する情報を新たなＩＥとして第２のアクチベートＭＢＭＳベアラ要求メッセージに含ませ、そして該第２のアクチベートＭＢＭＳベアラ要求メッセージを第２のＢＭ−ＣＮへ送信することにより、１つ以上のＢＭ−ＣＮに情報を指示する。或いは又、別の実施形態では、ブロック３４０において、第２／第１のブロードキャストリソースに関する情報が既存のメッセージの既存のＩＥに含まれ、次いで、既存のメッセージが送信される。既存のメッセージの受信者は、シグナリング又は事前の定義に基づいて既存のＩＥの新たな意味を前もって知ることができる。
【００５１】
２つのＢＭ−ＣＮを参照して実施形態を説明するが、方法３００は、３つ以上のＢＭ−ＣＮを伴うシナリオにも適用できることを理解されたい。
【００５２】
本開示の実施形態による方法４００のフローチャートである図４を参照する。この方法４００は、ＢＭ−ＣＮ（例えば、図１のＢＭ−ＳＣ１０２又は図２のＢＭ−ＳＣ２０２／２０３）で少なくとも部分的に実施され、ＢＭ−ＣＮは、以下、ＢＭ−ＣＮ＃１と示される。
【００５３】
図４に示すように、方法４００は、ブロック４１０において、ＢＭ−ＣＮ＃１のアプリケーションサーバーから要求を受け取って、ＭＢＭＳユーザサービスを配送するためのブロードキャストリソースを割り当て；ブロック４２０において、その受け取った要求に応答してアプリケーションサーバーへメッセージを送り、該メッセージは、ＭＢＭＳユーザサービスに対してＢＭ−ＣＮ＃１により割り当てられた第１のブロードキャストリソースを指示するものであり；ブロック４３０において、ＭＢＭＳユーザサービスに対してＢＭ−ＣＮ＃２により割り当てられた第２のブロードキャストリソースに関する情報をアプリケーションサーバーから受信し；及びブロック４４０において、ＭＢＭＳユーザサービスに対する第１のブロードキャストリソース及び第２のブロードキャストリソースに関する情報を、第１のＢＭ−ＣＮ及び第２のＢＭ−ＣＮによりシェアリングされるＲＡＮに指示することを含む。
【００５４】
ＢＭ−ＣＮ＃１及びＢＭ−ＣＮ＃２は、方法３００に含まれた第１のＢＭ−ＣＮ及び第２のＢＭ−ＣＮであり、それ故、第１のＢＭ−ＣＮ及び第２のＢＭ−ＣＮについて方法３００を参照してなされた説明は、ここにも適用される。例えば、ＢＭ−ＣＮ＃１は、図１又は図２に示すＢＭ−ＳＣである。
【００５５】
ある実施形態において、ＢＭ−ＣＮ＃１及びＢＭ−ＣＮ＃２は、図２の規範的シナリオに示された異なるＰＬＭＮに属してもよい。しかしながら、ＢＭ−ＣＮ＃１及びＢＭ−ＣＮ＃２の両方が同じＰＬＭＮに属するシナリオに方法４００を適用することが除外されないことも理解されたい。別の実施形態では、ＢＭ−ＣＮ＃１及びＢＭ−ＣＮ＃２（例えば、第１のＢＭ−ＳＣ及び第２のＢＭ−ＳＣ）は、少なくとも部分的に重畳する異なるＭＢＭＳサービスエリアにサービスする。更に別の実施形態では、第１のＢＭ−ＣＮ及び第２のＢＭ−ＣＮは、方法３００を参照して述べたように、同じＢＭ−ＣＮである。
【００５６】
幾つかの実施形態では、ブロック４２０において、ブロードキャストリソースは、メッセージにおいてＴＭＧＩ（例えば、ＴＭＧＩ＃１）として指示される。他の実施形態では、ブロードキャストリソースは、別の識別子を経て識別され／指示されることを理解されたい。
【００５７】
ある実施形態では、ブロック４３０において、ＢＭ−ＣＮ＃１は、第１のブロードキャストリソースを識別するための第１のＴＭＧＩ（例えば、ＴＭＧＩ＃１）及び第２のブロードキャストリソースを識別するための第２のＴＭＧＩ（例えば、ＴＭＧＩ＃２）の両方をアプリケーションサーバーから受け取る。別の実施形態では、ＢＭ−ＳＣ＃１は、アプリケーションサーバーから第２のＴＭＧＩ（例えば、ＴＭＧＩ＃２）のみを受け取る。というのは、ＴＭＧＩ＃１がそれ自身により既に割り当てられていることを知っているからである。
【００５８】
実施形態は、ブロック４３０で受け取られる情報及びブロック４４０で送出される情報を搬送するための特定のメッセージに限定されない。１つの例として、一実施形態では、ＢＭ−ＣＮ＃１は、ブロック４３０において、アプリケーションサーバーからの第１のアクチベートＭＢＭＳベアラ要求メッセージの新たなＩＥを経て第２のブロードキャストリソースに関する情報を受け取る。即ち、従来のアクチベートＭＢＭＳベアラ要求メッセージは、新たなＩＥを含むように変更される。或いは又、別の実施形態では、ブロック４３０において、第２／第１のブロードキャストリソースに関する情報は、既存のメッセージの既存のＩＥにおいて受け取られる。即ち、既存のメッセージの既存のＩＥは、第１／第２のブロードキャストリソースに関する情報を指示するために再使用される。ＢＭ−ＣＮ＃１は、シグナリング又は事前の定義に基づいて既存のメッセージの新たな意味を知る。
【００５９】
別の実施形態では、ブロック４４０において、ＢＭ−ＣＮ＃１は、ＭＢＭＳユーザサービスのための第１のブロードキャストリソース及び第２のブロードキャストリソースの両方に関する情報を、ＭＢＭＳセッション開始要求メッセージを経て、ＲＡＮに指示する。或いは又、更に別の実施形態では、ＢＭ−ＣＮ＃１は、ブロック４４０において、ＭＢＭＳセッション更新要求メッセージを経て情報を指示する。指示された情報は、例えば、ベースステーション、又はＲＡＮのマルチセル／マルチキャスト整合エンティティ（ＭＣＥ）により受け取られる。又、更に別の実施形態では、ＢＭ−ＣＮ＃１は、第１のブロードキャストリソース及び第２のブロードキャストリソースの両方の情報をＲＡＮのターミナルデバイスに指示する。例えば、ＢＭ−ＳＣは、この情報を、ＭＢＭＳサービスアナウンスメントメッセージを経てターミナルデバイスへ送信する。即ち、従来のＭＢＭＳサービスアナウンスメントメッセージは、この情報を指示するための新たなＩＥを含むように変更される。別の実施形態では、従来のＭＢＭＳサービスアナウンスメントメッセージは、この情報を指示するための既存のＩＥを再使用するように変更される。既存のＩＥの新たな意味は、シグナリング又は事前の定義に基づいて受信者に分かる。
【００６０】
本開示の実施形態による方法５００のフローチャートである図５を参照する。この方法５００は、ＲＡＮのネットワークノード（例えば、図１に示すＥ−ＵＴＲＡＮ１０４のベースステーション又は図２に示すシェア型ＲＡＮ２１３のベースステーション）で少なくとも部分的に実施される。ある実施形態では、ネットワークノードは、ＭＣＥ及びベースステーション（例えば、ｅＮＢ）の両方の機能を有する。
【００６１】
図５に示すように、この方法５００は、ブロック５１０において、第１のＭＢＭＳセッションを開始又は更新するための第１のメッセージを第１のブロードキャスト／マルチキャスト制御ノード（ＢＭ−ＣＮ）から受信し；ブロック５２０において、第２のＭＢＭＳセッションを開始又は更新するための第２のメッセージを第２のＢＭ−ＣＮから受信し；ブロック５３０において、第１のＭＢＭＳセッション及び第２のＭＢＭＳセッションが同じＭＢＭＳユーザサービスに関連していることを検出し；ブロック５４０において、第１及び第２のＭＢＭＳセッションに対して単一ブロードキャスト無線ベアラを確立できるかどうか決定し；及びブロック５５０において、その決定の肯定結果に基づいて単一ブロードキャスト無線ベアラを経てターミナルデバイスへ同じＭＢＭＳユーザサービスのデータをブロードキャストすることを含む。
【００６２】
幾つかの実施形態において、第１のＢＭ−ＣＮ及び第２のＢＭ−ＣＮは、同じＢＭ−ＣＮである。別の実施形態では、第１のＢＭ−ＣＮ及び第２のＢＭ−ＣＮは、各々、ＢＭ−ＳＣである。しかしながら、本開示の実施形態は、そのような特定のシナリオに限定されないことを理解されたい。
【００６３】
ある実施形態において、第１のＢＭ−ＣＮ及び第２のＢＭ−ＣＮは、図２の規範的シナリオに示すように、異なるＰＬＭＮに属する。別の実施形態では、第１のＢＭ−ＣＮ及び第２のＢＭ−ＣＮは、少なくとも部分的に重畳する異なるＭＢＭＳにサービスする。
【００６４】
幾つかの実施形態において、ブロック５１０で受け取られる第１のメッセージ及びブロック５２０で受け取られる第２のメッセージは、方法４００によりブロック４４０において第１のＢＭ−ＣＮ及び第２のＢＭ−ＣＮにより送られるものであり、それ故、ブロック４４０に関して方法４００を参照してなされた説明は、ここにも適用され、その詳細は、繰り返さない。例えば、第１のメッセージ又は第２のメッセージは、ＭＢＭＳセッション開始要求メッセージ又はＭＢＭＳセッション更新要求メッセージである。しかしながら、実施形態は、特定のメッセージフォーマットに限定されない。
【００６５】
ある実施形態において、ブロック５３０における前記の検出は、第１のメッセージ及び／又は第２のメッセージに含まれる指示に基づくものであり、この指示は、第１のＢＭ−ＣＮ／第２のＢＭ−ＣＮにより割り当てられるブロードキャストリソース、及び同じＭＢＭＳユーザサービスに対して第１のＢＭ−ＣＮ／第２のＢＭ−ＣＮにより割り当てられる更に別の関連ブロードキャストリソースを示す。第１のメッセージ及び／又は第２のメッセージに含まれる指示は、ブロードキャストリソースと更に別の関連ブロードキャストリソースとの間の関係を指示し、即ちそれらは、同じＭＢＭＳユーザサービスに関連している。この指示は、ネットワークノードが単一ブロードキャスト無線ベアラを経てＭＢＭＳユーザサービスを配送できるようにする。
【００６６】
ある実施形態では、ブロードキャストリソースの各々がＴＭＧＩにより識別される。
【００６７】
ＬＴＥネットワークにおいて、ＭＢＭＳサービスエリア（ＭＢＭＳ  ＳＡ）の概念が定義され、３ＧＰＰ  ＴＳ２３．２４６によれば、それは、特定のＭＢＭＳセッションのデータがその中で送られるエリアである。ＭＢＭＳベアラサービスの各個々のＭＢＭＳセッションは、異なるＭＢＭＳサービスエリアへ送られる。このＭＢＭＳサービスエリアは、３ＧＰＰ  ＴＳ２２．１４６で定義された同じマルチキャスト又はブロードキャストサービスエリア又はそのサブセットである。マルチキャスト又はブロードキャストサービスエリアより小さいＭＢＭＳサービスエリアが、典型的に、ローカライズ型サービスに使用される。又、ＭＢＭＳ  ＳＡがＭＢＭＳサービスエリアアイデンティティ（ＭＢＭＳ  ＳＡＩ）のリストを含むことも３ＧＰＰ  ＴＳ２３．００３に定義されている。ＭＢＭＳ  ＳＡＩの詳細な構造は、ＴＳ２３．００３の第１５．３章に見ることができる。ＭＢＭＳ  ＳＡＩは、関連ロケーション／ルーティング／サービスエリア及びセルの物理的位置とは独立したＰＬＭＮ内のセルのグループを識別しなければならない。セルは、１つ以上のＭＢＭＳ  ＳＡに属することができ、それ故、１つ以上のＭＢＭＳ  ＳＡＩによりアドレス可能である。ＭＢＭＳ  ＳＡＩは、０と６５，５３５（これを含む）との間の十進数でなければならない。値０は、特殊な意味をもち、即ち全ＰＬＭＮをＭＢＭＳサービスエリアとして表示しなければならず、且つ受信側ＲＮＣ／ＢＳＳ／ＭＣＥに、そのＲＮＣ／ＢＳＳ／ＭＣＥにより到達可能な全てのセルがＭＢＭＳサービスエリアの一部分でなければならないことを指示しなければならない。値０の特定のＭＢＭＳサービスエリアアイデンティティを除いて、ＭＢＭＳサービスエリアアイデンティティは、ＰＬＭＮ内で独特でなければならず、且つ対応する全てのセルがＭＢＭＳケーパブルであるように定義されねばならない。
【００６８】
ある実施形態において、ネットワークノードのＭＣＥは、例えば、Ｍ２接続設定中に、ｅＮＢから構成情報を受け取る。この構成情報は、セルごとに、ＭＢＭＳ  ＳＡＩのリストを含む。このリストは、２５６個までのエントリーを含むことができる。詳細については、ＴＳ３６．４４３を参照されたい。
【００６９】
別の実施形態では、ブロック５１０及び５２０で受け取られる第１のメッセージ及び第２のメッセージは、ＭＢＭＳサービスエリアＩＥを含み、これは、更に、ＭＢＭＳ  ＳＡＩのリストを含む。
【００７０】
ネットワークノードは、ある実施形態では、第１のメッセージ及び／又は第２のメッセージに基づいて関連ＴＭＧＩを得、そしてブロック５４０における決定を適宜遂行することができる。例えば、ＴＭＧＩ＃１及びＴＭＧＩ＃２により各々識別される２つのＭＢＭＳセッションがある場合には、ネットワークノード（例えば、その中のＭＣＥ機能）は、ＴＭＧＩ＃１によって識別されたＭＢＭＳセッションのＭＢＭＳ  ＳＡＩのリスト＃１、及びＴＭＧＩ＃２により識別されたＭＢＭＳセッションのＭＢＭＳ  ＳＡＩのリスト＃２を決定のために使用することができる。両リストのＭＢＭＳ  ＳＡＩに基づき、ブロック５４０において、方法５００を使用することにより、ネットワークノードは、そのエリアにおいて１つのＭＢＭＳセッションしか開始されず、即ち１つのＭＢＭＳ無線ベアラしか必要とされないことを決定する。別の実施形態では、更に、ネットワークノードは、ブロック５４０において、コアネットワークから両ＭＢＭＳセッションのデータを受け取るためにネットワークノードに対して単一コアネットワークユーザプレーン接続を確立できることを決定する。
【００７１】
それとは別に又はそれに加えて、別の実施形態では、ブロック５４０において、ネットワークノードは、第１及び第２のメッセージに含まれたセルＩＤ（例えば、ＥＣＧＩ）のリストに基づいて決定を行う。
【００７２】
幾つかの実施形態では、ブロック５５０においてネットワークノードによりブロードキャストされるＭＢＭＳユーザサービスのデータは、コアネットワークから単一コアネットワークユーザプレーン接続を経てネットワークノードにより得られるものである。
【００７３】
幾つかの実施形態では、ブロック５５０において、ＲＡＮのネットワークノードは、第１のＭＢＭＳセッション又は第２のＭＢＭＳセッションのいずれかについて構成された単一の論理的チャンネルアイデンティティ（論理的チャンネルのＭＡＣアイデンティティ、以下、ＬＣＩＤとも称される）を使用して、同じＭＢＭＳユーザサービスのデータをブロードキャストする。例えば、この実施形態は、ＭＢＭＳサービスを提供するためにマルチキャストブロードキャスト単一周波数ネットワーク（ＭＢＳＦＮ）技術を使用するシナリオに適用される。この場合、ＬＣＩＤとＴＭＧＩとの間の関連性は、例えば、ＲＲＣシグナリングを経てターミナルデバイスへシグナリングされる。
【００７４】
別の実施形態では、ブロック５５０のブロードキャストのためにネットワークノードにより使用される単一ブロードキャスト無線ベアラは、無線ネットワーク一時的識別子（ＲＮＴＩ）により表わされる。例えば、この実施形態は、ＭＢＭＳサービスを提供するためにＬＴＥ単一セルポイント対マルチポイント（ＳＣ−ＰＴＭ）送信を使用するシナリオに適用される。
【００７５】
任意であるが、ある実施形態では、方法５００は、ブロック５１０で受け取った第１のメッセージに応答してネットワークノードがインターネットプロトコル（ＩＰ）マルチキャストグループに加わるブロック５６０を含んでもよい。別の実施形態では、ネットワークノードが第１のメッセージより後で第２のメッセージを受け取り、そしてそれらが同じＭＢＭＳユーザサービスに関連していると分かったとき、ネットワークノードは、ブロック５６０においてＩＰマルチキャストグループに加わっている場合には、第２のメッセージに応答してＩＰマルチキャストグループに加わらなくてよい。更に別の実施形態では、それとは別に、ネットワークノードは、第２のメッセージに応答してＩＰマルチキャストグループに加わってもよい。
【００７６】
幾つかの実施形態では、ネットワークノードは、ＭＣＥ機能及びベースステーションの組み合わせであり、そしてそれらの実施形態では、あるブロックの動作は、ＭＣＥにより遂行され、そして他のブロックは、ベースステーションにより遂行される。しかしながら、それらの実施形態は、ネットワークノードの特定の構成に限定されない。例えば、ネットワークノードは、全ての動作を遂行するベースステーションでもよいし、又はネットワークノードは、ブロックの動作を遂行するための多数の分散型コンポーネントを有してもよい。
【００７７】
本開示の実施形態による方法６００のフローチャートである図６を参照する。この方法６００は、ＲＡＮのネットワークノード（例えば、図１に示すＥ−ＵＴＲＡＮ１０４のＭＣＥ）で少なくとも部分的に実施される。説明を簡単にするため、ネットワークノードは、以下、第２のネットワークノードとして示される。ある実施形態では、第２のネットワークノードは、方法５００を参照して述べたネットワークノードにおいて、その一部分として実施されるが、別の実施形態では、第２のネットワークノードは、方法５００のネットワークノードとは個別に位置されてもよい。
【００７８】
図６に示すように、方法６００は、ブロック６１０において、第１のＭＢＭＳセッションを開始するためのメッセージを第１のＢＭ−ＣＮから受信し；ブロック６２０において、第２のＭＢＭＳセッションを開始するための更に別のメッセージを第２のＢＭ−ＣＮから受信し；ブロック６３０において、第１のＭＢＭＳセッション及び第２のＭＢＭＳセッションが同じＭＢＭＳユーザサービスに関連していることを検出し；ブロック６４０において、第１及び第２のＭＢＭＳセッションに対して単一コアネットワークユーザプレーン接続及び単一ブロードキャスト無線ベアラを確立できるかどうか決定し；及びブロック６５０において、前記決定の肯定結果に基づいて、単一コアネットワークユーザプレーン接続を確立するようにベースステーションに命令しそしてその単一コアネットワークユーザプレーン接続から単一ブロードキャスト無線ベアラを経てターミナルデバイスへデータをブロードキャストする；ことを含む。
【００７９】
ある実施形態では、第１のＢＭ−ＣＮ及び第２のＢＭ−ＣＮは、図２の規範的シナリオに示すように、異なるＰＬＭＮに属する。別の実施形態では、第１のＢＭ−ＣＮ及び第２のＢＭ−ＣＮは、少なくとも部分的に重畳する異なるＭＢＭＳサービスエリアにサービスする。更に別の実施形態では、第１のＢＭ−ＣＮ及び第２のＢＭ−ＣＮは、同じＢＭ−ＣＮである。
【００８０】
幾つかの実施形態では、ブロック６１０−６４０の動作は、方法５００のブロック５１０−５４０を参照して述べたものと同じであり、それ故、その詳細は省略する。方法５００との相違は、ブロック６５０において、第２のネットワークノードが、ＭＢＭＳデータそれ自体をブロードキャストするのではなく、単一ブロードキャスト無線ベアラを使用してＭＢＭＳデータをブロードキャストするようにベースステーションに命令することである。別の実施形態では、ブロック６５０において、第２のネットワークノードは、更に、ＭＢＭＳユーザサービスのためのデータをコアネットワークから受け取るために単一コアネットワークユーザプレーン接続のみを確立するようにベースステーションに命令する。
【００８１】
別の実施形態では、方法６００は、更に、方法５００のブロック５６０を参照して述べたものと同様の動作を遂行できるブロック６６０を含んでもよい。
【００８２】
幾つかの実施形態において、方法５００を参照して述べたように、単一ブロードキャスト無線ベアラは、単一のＬＣＩＤ又は単一のＲＮＴＩとして表わされるが、本開示の実施形態は、それに限定されない。
【００８３】
ブロック６５０において第２のネットワークノードにより送信された命令を受け取った後は、ベースステーションは、例えば、ＬＴＥ規格に現在特定されているのと同様に機能する。即ち、ベースステーションは、命令を、ＭＢＭＳセッションを開始するためのトリガーとみなし、単一ブロードキャスト無線ベアラを使用してそれに対応するデータを配送することができる。
【００８４】
図７には、本開示の実施形態により効率的な仕方でＭＢＭＳユーザサービスを配送するために、ＡＳ、ＢＭ−ＳＣ、ｅＮＢ／ＭＣＥ及びＵＥの間で行われるシグナリング交換の一例が示されている。図１に示したように、ＡＳ７０１は、Ｖ２Ｘサーバーであり、これは、ＢＭ−ＳＣ７０２及びＢＭ−ＳＣ７０３の両方から個別の「割り当てＴＭＧＩ要求」メッセージ（図７にシグナリング１及び３として示す）を経てＭＢＭＳユーザサービスのためのリソース割り当てを要求し、そしてそれに応答して、Ｖ２Ｘサーバーは、ＢＭ−ＳＣ７０２及び７０３から「割り当てＴＭＧＩ応答」メッセージ（図７にシグナリング２及び４として示す）を得、このメッセージは、ＴＭＧＩ＃１及びＴＭＧＩ＃２を各々含む。この例では、Ｖ２Ｘサーバーは、ＴＭＧＩ＃１及びＴＭＧＩ＃２が同じＭＢＭＳユーザサービスに関連していることを、２つの個別の「アクチベートＭＢＭＳベアラ要求」メッセージ（図７の５及び６）を経て、ＢＭ−ＳＣ７０２及びＢＭ−ＳＣ７０３の両方に通知する。図７に示すように、このメッセージは、ＴＭＧＩ＃１及び関連ＴＭＧＩ−ＴＭＧＩ＃２を含むか、又はＴＭＧＩ＃２及び関連ＴＭＧＩ−ＴＭＧＩ＃１を含み、ここで、「関連ＴＭＧＩ」とは、同じＭＢＭＳユーザサービスに関連した１つ以上のＴＭＧＩを指示できる新規のＩＥである。別の実施形態では、「関連ＴＭＧＩ」の情報が既存のＩＥに含まれてもよい。別の例では、Ｖ２Ｘサーバーは、そのような情報を２つのＢＭ−ＳＣの一方のみに通知すればよいことを理解されたい。図７に示すように、ＢＭ−ＳＣは、そのような情報（同じＭＢＭＳユーザサービスとＴＭＧＩ＃１及びＴＭＧＩ＃２との関連性）を、例えば、ＭＢＭＳセッション開始要求メッセージ（シグナリング７及び１０として示す）を使用して、ＭＢＭＳ−ＧＷ及びＭＭＥを経て、ｅＮＢ又はＭＣＥ７０４へ転送する（注：ＭＢＭＳ−ＧＷ及びＭＭＥは、簡単化のため図示されず）。この例では、ｅＮＢ／ＭＣＥは、ＭＢＭＳセッション開始応答メッセージ（図７のシグナリング８又は１１）で応答するが、これは、必要ではなく、別の規範的実施形態では、省略されてもよい。任意であるが、ＢＭ−ＳＣは、ターミナル装置、例えば、ＵＥ７０５及び７０６に情報を通知してもよい。両ＴＭＧＩ＃１及びＴＭＧＩ＃２が同じＭＢＭＳユーザサービスに関連していることを示す情報を得た後に、ｅＮＢは、コアネットワークから単一コアネットワークユーザプレーン接続を経てそれに対応するデータを得て、その受け取ったデータを、単一無線ベアラ（例えば、単一ＬＣＩＤ）を経てＵＥへブロードキャストすることができる。
【００８５】
アプリケーションサーバーにおける装置８００の概略ブロック図である図８を参照する。サーバーは、例えば、図１に示すＧＣＳ  ＡＳ１０１又は図２に示すＶ２Ｘ  ＡＳである。装置８００は、図３を参照して述べた規範的な方法３００及びおそらく他のプロセス又は方法を実行するように動作できる。又、方法３００は、必ずしも、装置８００により実行されないことも理解されたい。方法３００の少なくとも幾つかのステップは、１つ以上の他のエンティティにより遂行することもできる。
【００８６】
図８に示すように、装置８００は、第１のリソース要求ユニット８０１、第２のリソース要求ユニット８０２、受信ユニット８０３及び指示ユニット８０４を備えている。第１のリソース要求ユニット８０１は、リソース要求メッセージを第１のブロードキャスト／マルチキャスト制御ノード（ＢＭ−ＣＮ）へ送信して、マルチメディアブロードキャスト／マルチキャストサービス（ＭＢＭＳ）ユーザサービスを配送するためのブロードキャストリソースの割り当てを要求するように構成される。第２のリソース要求ユニット８０２は、更に別のリソース要求メッセージを第２のＢＭ−ＣＮへ送信して、ＭＢＭＳユーザサービスを配送するためのブロードキャストリソースの更に別の割り当てを要求するように構成される。受信ユニット８０３は、第１のＢＭ−ＣＮから第１の応答メッセージをそして第２のＢＭ−ＣＮから第２の応答メッセージを受信するように構成され、第１の応答メッセージは、ＭＢＭＳユーザサービスのために第１のＢＭ−ＣＮにより割り当てられた第１のブロードキャストリソースを指示し、及び第２の応答メッセージは、ＭＢＭＳユーザサービスのために第２のＢＭ−ＣＮにより割り当てられた第２のブロードキャストリソースを指示する。指示ユニット８０４は、第２のブロードキャストリソースに関する情報を第１のＢＭ−ＣＮに指示し、及び／又は第１のブロードキャストリソースに関する情報を第２のＢＭ−ＣＮに指示する。
【００８７】
幾つかの実施形態において、ユニット８０１−８０４は、方法３００のブロック３１０−３４０の動作を各々遂行するように構成され、それ故、図３の方法３００を参照してなされた関連説明がここにも適用され、その詳細は、繰り返さない。
【００８８】
ある実施形態において、指示ユニット８０４は、第１のブロードキャストリソースを識別するための第１のＴＭＧＩ、及び第２のブロードキャストリソースを識別するための第２のＴＭＧＩを第１のＢＭ−ＣＮ及び／又は第２のＢＭ−ＣＮに指示するように構成される。
【００８９】
別の実施形態では、指示ユニットは、第２のブロードキャストリソースに関する情報を新たな情報エレメント（ＩＥ）として第１のアクチベートＭＢＭＳベアラ要求メッセージに含ませ、そして該第１のアクチベートＭＢＭＳベアラ要求メッセージを第１のＢＭ−ＣＮへ送信するように構成された第１のメッセージ送信ユニット；及び／又は第１のブロードキャストリソースに関する情報を新たなＩＥとして第２のアクチベートＭＢＭＳベアラ要求メッセージに含ませ、そして該第２のアクチベートＭＢＭＳベアラ要求メッセージを第２のＢＭ−ＣＮへ送信するように構成された第２のメッセージ送信ユニットを備えている。別の実施形態では、それとは別に、第１／第２のブロードキャストリソースに関する情報は、既存のメッセージの既存のＩＥを使用することにより指示される。即ち、既存のメッセージ（例えば、アクチベートＭＢＭＳベアラ要求メッセージ）の既存のＩＥには、新たな意味が与えられ、その新たな意味は、例えば、シグナリング又は事前の定義に基づいてメッセージの受信者が前もって知ることができる。
【００９０】
図９は、第１のＢＭ−ＣＮで少なくとも部分的に実施される装置９００の概略ブロック図である。ＢＭ−ＣＮは、図１に示すＢＭ−ＳＣ１０２であるか、或いは図２に示すＢＭ−ＳＣ  Ａ又はＢＭ−ＳＣ  Ｂである。装置９００は、図４を参照して述べた規範的方法４００及びおそらく他のプロセス又は方法を実行するように動作できる。又、方法４００は、必ずしも、装置９００により実行されないことも理解されたい。方法４００の少なくとも幾つかのステップは、１つ以上の他のエンティティにより遂行することもできる。
【００９１】
図９に示すように、装置９００は、第１のＢＭ−ＣＮのアプリケーションサーバーから要求を受け取って、マルチメディアブロードキャスト／マルチキャストサービス（ＭＢＭＳ）ユーザサービスを配送するためのブロードキャストリソースを割り当てるように構成された要求受け取りユニット９０１、前記受け取った要求に応答してアプリケーションサーバーへメッセージを送信するように構成された応答ユニット９０２であって、該メッセージは、ＭＢＭＳユーザサービスに対して第１のＢＭ−ＣＮにより割り当てられた第１のブロードキャストリソースを指示するものである応答ユニット９０２；ＭＢＭＳユーザサービスに対して第２のＢＭ−ＣＮにより割り当てられた第２のブロードキャストリソースに関する情報をアプリケーションサーバーから受信するように構成された情報受信ユニット９０３；及びＭＢＭＳユーザサービスに対する第１のブロードキャストリソース及び第２のブロードキャストリソースに関する情報を、第１のＢＭ−ＣＮ及び第２のＢＭ−ＣＮによりシェアされる無線アクセスネットワーク（ＲＡＮ）に指示するように構成された通知ユニット９０４；を備えている。
【００９２】
幾つかの実施形態では、ユニット９０１−９０４は、方法４００のブロック４１０−４４０の動作を各々遂行するように構成され、それ故、図４の方法４００を参照してなされた関連説明がここにも適用され、その詳細は、繰り返さない。例えば、第１のＢＭ−ＣＮ及び第２のＢＭ−ＣＮは、ある実施形態では、同じＢＭ−ＣＮである。別の実施形態では、第１のＢＭ−ＣＮ及び第２のＢＭ−ＣＮは、異なるＰＬＭＮに属してもよいし、或いは異なるが重畳したＭＢＭＳサービスエリアにサービスしてもよい。
【００９３】
ある実施形態では、情報受信ユニット９０３は、第１のブロードキャストリソースを識別するための第１のＴＭＧＩ及び第２のブロードキャストリソースを識別するための第２のＴＭＧＩをアプリケーションサーバーから受け取るように構成される。別の実施形態では、情報受信ユニットは、アプリケーションサーバーから第１のアクチベートＭＢＭＳベアラ要求メッセージにおける新たなＩＥを経て第２のブロードキャストリソースに関する情報を受け取るように構成される。別の実施形態では、情報受信ユニットは、既存のメッセージの既存のＩＥを経て第２のブロードキャストリソースに関する情報を受け取るように構成される。既存のＩＥの新たな意味は、例えば、シグナリング又は事前の定義に基づいて、情報受信ユニットに知られる。
【００９４】
幾つかの実施形態において、通知ユニットは、ＭＢＭＳユーザサービスのための第１のブロードキャストリソース及び第２のブロードキャストリソースに関する情報を、ＭＢＭＳセッション開始要求又はＭＢＭＳセッション更新要求メッセージを経て、ベースステーション又はＲＡＮのＭＣＥに指示するように構成される。別の実施形態では、通知ユニットは、更に、ＭＢＭＳユーザサービスのための第１のブロードキャストリソース及び第２のブロードキャストリソースに関する情報をＲＡＮのターミナルデバイスに指示するように構成される。
【００９５】
図１０は、ＲＡＮネットワークノード、以下、第１のネットワークノードで少なくとも部分的に実施される装置１０００の概略ブロック図である。この第１のネットワークノードは、ベースステーションであるか、或いは図１に示すＥ−ＵＴＲＡＮ又は図２に示すシェア型ＲＡＮエリアにおけるＭＣＥとベースステーションの組み合わせである。装置１０００は、図５を参照して述べた規範的な方法５００及びおそらく他のプロセス又は方法を実行するように動作できる。又、方法５００は、必ずしも、装置１０００により実行されないことも理解されたい。方法５００の少なくとも幾つかのステップは、１つ以上の他のエンティティにより遂行することもできる。
【００９６】
図１０に示すように、装置１０００は、第１のマルチメディアブロードキャスト／マルチキャストサービス（ＭＢＭＳ）セッションを開始するための第１のメッセージを第１のブロードキャスト／マルチキャスト制御ノード（ＢＭ−ＣＮ）から受信するように構成された第１のメッセージ受信ユニット１００１；第２のＭＢＭＳセッションを開始するための第２のメッセージを第２のＢＭ−ＣＮから受信するように構成された第２のメッセージ受信ユニット１００２；第１のＭＢＭＳセッション及び第２のＭＢＭＳセッションが同じＭＢＭＳユーザサービスに関連していることを検出するように構成された検出ユニット１００３；第１及び第２のＭＢＭＳセッションに対して単一コアネットワークユーザプレーン接続及び単一ブロードキャスト無線ベアラを確立できるかどうか決定するように構成された決定ユニット１００４；及び前記決定の肯定結果に基づいて単一ブロードキャスト無線ベアラを経てターミナルデバイスへ同じＭＢＭＳユーザサービスのデータをブロードキャストするように構成されたブロードキャストユニット１００５；を備えている。
【００９７】
幾つかの実施形態では、ユニット１００１−１００４は、方法５００のブロック５１０−５５０の動作を各々遂行するように構成され、それ故、図５の方法５００を参照してなされた関連説明がここにも適用され、その詳細は、繰り返さない。例えば、第１のＢＭ−ＣＮ及び第２のＢＭ−ＣＮは、ある実施形態では、同じＢＭ−ＣＮである。別の実施形態では、第１のＢＭ−ＣＮ及び第２のＢＭ−ＣＮは、異なるＰＬＭＮに属してもよいし、或いは異なるが重畳したＭＢＭＳサービスエリアにサービスしてもよい。
【００９８】
ある実施形態では、検出ユニット１００３は、第１メッセージ及び第２メッセージの少なくとも１つに含まれた指示に基づいて、第１のＢＭ−ＣＮ及び第２のＢＭ−ＣＮの一方により割り当てられたブロードキャストリソース、及び同じＭＢＭＳユーザサービスに対して第１のＢＭ−ＣＮ及び第２のＢＭ−ＣＮの他方により割り当てられた更に別の関連ブロードキャストリソースを示す指示を検出するように構成される。
【００９９】
別の実施形態では、装置１０００は、更に、第１のメッセージの受信に応答してＩＰマルチキャストグループに加わるように構成された加入ユニット１００６を備えている。幾つかの実施形態では、この加入ユニットは、方法５００のブロック５６０を参照して述べた動作を遂行するように構成される。
【０１００】
図１１は、別のＲＡＮネットワークノード、以下、第２のネットワークノードで少なくとも部分的に実施される装置１１００の概略ブロック図である。この第２のネットワークにー度は、個別のＭＣＥでもよいし、又は第１のネットワークノードの一部分でもよい。装置１１００は、図６を参照して述べた規範的方法６００及びおそらく他のプロセス又は方法を実行するように動作できる。又、方法６００は、必ずしも、装置１１００により実施されないことも理解されたい。方法６００の少なくとも幾つかのステップは、１つ以上の他のエンティティにより遂行することができる。
【０１０１】
図１１に示すように、装置１１００は、第１のマルチメディアブロードキャスト／マルチキャストサービス（ＭＢＭＳ）セッションを開始するためのメッセージを第１のブロードキャスト／マルチキャスト制御ノード（ＢＭ−ＣＮ）から受信するように構成された第１の受信ユニット１１０１；第２のＭＢＭＳセッションを開始するための更に別のメッセージを第２のＢＭ−ＣＮから受信するように構成された第２の受信ユニット１１０２；第１のＭＢＭＳセッション及び第２のＭＢＭＳセッションが同じＭＢＭＳユーザサービスに関連していることを検出するように構成された検出ユニット１１０３；第１及び第２のＭＢＭＳセッションに対して単一コアネットワークユーザプレーン接続及び単一ブロードキャスト無線ベアラを確立できるかどうか決定するように構成された決定ユニット１１０４；及び前記決定の肯定結果に基づいて、単一コアネットワークユーザプレーン接続を確立するようにベースステーションに命令しそしてその単一コアネットワークユーザプレーン接続から単一ブロードキャスト無線ベアラを経てターミナルデバイスへデータをブロードキャストするように構成された命令ユニット１１０５；を備えている。
【０１０２】
幾つかの実施形態では、ユニット１１０１−１１０５は、方法６００のブロック６１０−６５０の動作を各々遂行するように構成され、それ故、図６の方法６００を参照してなされた関連説明がここにも適用され、その詳細は、繰り返さない。ある実施形態では、装置１１００のユニット１１０１−１１０４は、装置１０００のユニット１００１−１００４と同じである。
【０１０３】
別の実施形態では、装置１１００は、更に、第１の受信ユニットにより受信された第１のメッセージに応答してＩＰマルチキャストグループに加わるように構成された加入ユニット１００６を備えている。幾つかの実施形態では、この加入ユニットは、方法５００のブロック５６０又は方法６００のブロック６６０を参照して述べた動作を遂行するように構成される。
【０１０４】
装置８００−１１００は、図８−１１に示されない他のユニットを備えてもよいことが明らかである。更に、装置８００−１１００の幾つかのユニット又はモジュールは、幾つかの実施形態では組み合わせることができる。例えば、ある実施形態では、装置１０００の第１のメッセージ受信ユニット１００１及び第２のメッセージ受信ユニット１００２により受信されるべきメッセージを受信するのに単一の受信ユニットを使用することができる。
【０１０５】
図１２ａは、図１に示すＧＣＳ  ＡＳ１０１のようなサーバーにおいて／サーバーとして実施される装置１２１０、及び図１に示すＢＭ−ＳＣ１０２のようなＢＭ−ＣＮにおいて／ＢＭ−ＣＮとして実施される装置１２２０の簡単なブロック図である。図１２ｂは、ＲＡＮネットワークノードにおいて／として実施される装置１２３０を示す。
【０１０６】
装置１２１０は、データプロセッサ（ＤＰ）のような少なくとも１つのプロセッサ１２１１と、該プロセッサ１２１１に結合された少なくとも１つのメモリ（ＭＥＭ）１２１２とを備えている。装置１２１０は、更に、プロセッサ１２１１に結合された送信器ＴＸ・受信器ＲＸ１２１３を備えている。ＭＥＭ１１１２は、プログラム（ＰＲＯＧ）１２１４を記憶している。ＰＲＯＧ１１１４は、関連プロセッサ１２１１において実行されたときに装置１２１０が本開示の実施形態に基づいて動作し、例えば、方法３００を遂行できるようにするインストラクションを含む。少なくとも１つのプロセッサ１２１１及び少なくとも１つのＭＥＭ１２１２の組み合せは、本開示の種々の実施形態、例えば、方法３００を具現化するための処理手段１２１５を形成する。
【０１０７】
装置１２２０は、ＤＰのような少なくとも１つのプロセッサ１２２１と、該プロセッサ１２２１に結合された少なくとも１つのメモリＭＥＭ１２２２とを備えている。装置１２２０は、更に、プロセッサ１２２１に結合された適当なＴＸ／ＲＸ１２２３を備えている。ＭＥＭ１２２２は、ＰＲＯＧ１２２４を記憶している。ＰＲＯＧ１２２４は、関連プロセッサ１２２１において実行されたとき装置１２２０が本開示の実施形態に基づいて動作し、例えば、方法４００を遂行できるようにするインストラクションを含む。少なくとも１つのプロセッサ１２２１及び少なくとも１つのＭＥＭ１２２２の組み合せは、本開示の種々の実施形態、例えば、方法４００を具現化するための処理手段１２２５を形成する。
【０１０８】
装置１２３０は、ＤＰのような少なくとも１つのプロセッサ１２３１と、該プロセッサ１２３１に結合された少なくとも１つのメモリＭＥＭ１２３２を備えている。装置１２３０は、更に、プロセッサ１２３１に結合された適当なＴＸ／ＲＸ１２３３を備えている。ＴＸ／ＲＸ１２３３は、アンテナに接続されてもよいし、されなくてもよい。ＭＥＭ１２３２は、ＰＲＯＧ１２３４を記憶している。ＰＲＯＧ１２３４は、関連プロセッサ１２３１において実行されたとき装置１２３０が本開示の実施形態に従って動作し、例えば、方法５００又は６００を遂行できるようにするインストラクションを含む。少なくとも１つのプロセッサ１２３１及び少なくとも１つのＭＥＭ１２３２の組み合せは、本開示の種々の実施形態、例えば、方法５００又は６００を具現化するための処理手段１２３５を形成する。
【０１０９】
本開示の種々の実施形態は、プロセッサ１２１１、１２２１及び１２３１の１つ以上により実行可能なコンピュータプログラム、ソフトウェア、ファームウェア、ハードウェア、又はその組み合せにより具現化される。
【０１１０】
ＭＥＭ１２１２、１２２２及び１２３２は、ローカルの技術環境に適した形式のものであり、非限定例として、適当なデータストレージ技術、例えば、半導体ベースのメモリデバイス、磁気メモリデバイス及びシステム、光学的メモリデバイス及びシステム、固定メモリ及び取り外し可能なメモリを使用して具現化される。
【０１１１】
プロセッサ１２１１、１２２１及び１２３１は、ローカルの技術環境に適した形式のものであり、非限定例として、汎用コンピュータ、特殊目的コンピュータ、マイクロプロセッサ、デジタル信号プロセッサＤＳＰ、及びマルチコアプロセッサアーキテクチャーに基づくプロセッサを含む。
【０１１２】
図１−２に示す規範的ネットワークに関連して幾つかの実施形態を説明したが、本開示の精神及び範囲を限定するものと解釈してはならない。本開示の原理及び概念は、他のネットワークアーキテクチャーに、より一般的に適用できる。
【０１１３】
更に、本開示は、上述したコンピュータプログラムを収容するキャリアも提供し、このキャリアは、電子的信号、光学的信号、無線信号、又はコンピュータ読み取り可能なストレージ媒体の１つである。コンピュータ読み取り可能なストレージ媒体は、例えば、光学的コンパクトディスク又は電子メモリデバイス、例えば、ＲＡＭ（ランダムアクセスメモリ）、ＲＯＭ（リードオンリメモリ）、フラッシュメモリ、磁気テープ、ＣＤ−ＲＯＭ、ＤＶＤ、ブルーレイディスク、等である。
【０１１４】
ここに述べる技術は、種々の手段によって実施されてもよく、一実施形態について述べた対応する装置の１つ以上の機能を実施する装置は、従来の手段を含むだけでなく、その実施形態について述べた対応する装置の１つ以上の機能を実施する手段も含み、そして各個別の機能のための個別の手段、又は２つ以上の機能を遂行するように構成された手段を含む。例えば、それらの技術は、ハードウェア（１つ以上の装置）、ファームウェア（１つ以上の装置）、ソフトウェア（１つ以上のモジュール）、又はその組み合わせで実施される。ファームウェア又はソフトウェアについては、ここに述べる機能を遂行するモジュール（例えば、手順、機能、等）を通して実施がなされる。
【０１１５】
ここでの規範的実施形態は、方法及び装置のブロック図及びフローチャートを参照して上述された。ブロック図及びフローチャートの各ブロック、並びにブロック図及びフローチャートにおけるブロックの組み合せは、各々、コンピュータプログラムインストラクションを含む種々の手段により実施できることを理解されたい。それらのコンピュータプログラムインストラクションは、汎用コンピュータ、特殊目的コンピュータ、又は他のプログラム可能なデータ処理装置にロードされて、コンピュータ又は他のプログラム可能なデータ処理装置で実行されるインストラクションがフローチャートのブロックに指定された機能を実施する手段を生成するようなマシンを形成する。
【０１１６】
更に、動作が特定の順序で描かれているが、これは、そのような動作が、望ましい結果を得るために、図示された特定の順序又は順番に遂行されること、又は図示された全ての動作が遂行されることを要求するものと理解されてはならない。ある環境では、マルチタスク及び並列処理が効果的である。同様に、多数の特定の実施詳細が前記説明に含まれているが、それらは、ここに述べる要旨の範囲を限定するものと解釈されてはならず、むしろ、特定の実施形態特有の特徴の説明と解釈されたい。個別の実施形態について述べた幾つかの特徴は、単一の実施形態において組み合わせて実施されてもよい。逆に、単一の実施形態について述べた種々の特徴は、多数の実施形態において別々に又は適当なサブ組み合わせで実施されてもよい。
【０１１７】
本明細書は、多数の特定の実施詳細を含むが、それらは、実施の範囲又は請求の範囲を限定するものと解釈されてはならず、むしろ、特定の具現化の特定の実施形態特有の特徴の説明と解釈されたい。本明細書において個別の実施形態について述べる幾つかの特徴は、単一の実施形態において組み合わせて実施されてもよい。逆に、単一の実施形態について述べた種々の特徴は、多数の実施形態において別々に又は適当なサブ組み合わせで実施されてもよい。更に、それらの特徴は、幾つかの組み合せで作用するものとして上述され、従って、最初に請求されるが、ある場合には、請求された組み合せから１つ以上の特徴を、組み合せから削除することができ、そして請求された組み合せは、サブ組み合せ又はサブ組み合せの変形に向けられてもよい。
【０１１８】
当業者であれば、技術の進歩と共に、発明の概念を種々の仕方で実施できることが明らかであろう。上述した実施形態は、本開示を限定するのではなく、説明のために与えられたものであり、本開示の精神及び範囲から逸脱せずに修正や変更がなされ得ることが当業者に容易に理解されるであろう。そのような修正及び変更は、本開示の範囲内及び特許請求の範囲内であると考えられる。本開示の保護の範囲は、特許請求の範囲によって限定される。
【符号の説明】
【０１１９】
１００：ネットワーク構造
１０１：ＧＣＳ  ＡＳ
１０２：ＢＭ−ＳＣ
１０３：ＢＭＭＳ  ＧＷ
１０４：Ｅ−ＵＴＲＡＮ
２００：Ｖ２Ｘシナリオ
２０１：Ｖ２Ｘ  ＡＳ
２０２、２０３：ＢＭ−ＳＣ
２０４、２０５：ＵＥ
２１１：ＰＬＭＮ  Ａ
２１２：ＰＬＭＮ  Ｂ
２１３：ＲＡＮシェアリングエリア
８０１：第１のリソース要求ユニット
８０２：第２のリソース要求ユニット
８０３：受信ユニット
８０４：指示ユニット
９０１：要求受け取りユニット
９０２：応答ユニット
９０３：情報受信ユニット
９０４：通知ユニット
１００１：第１のメッセージ受信ユニット
１００２：第２のメッセージ受信ユニット
１００３：検出ユニット
１００４：決定ユニット
１００５：ブロードキャストユニット
１００６：加入ユニット
１１０１：第１の受信ユニット
１１０２：第２の受信ユニット
１１０３：検出ユニット
１１０４：決定ユニット
１１０５：命令ユニット
１１０６：加入ユニット
１２１０：装置
１２１１：プロセッサ
１２１２：メモリ（ＭＥＭ）
１２１３：送信器・受信器（ＴＸ／ＲＸ）
１２１４：プログラム（ＰＲＯＧ）
１２１５：処理手段
１２２０：装置
１２２１：プロセッサ
１２２２：ＭＥＭ
１２２３：ＴＸ／ＲＸ
１２２４：ＰＲＯＧ
１２２５：処理手段
１２３０：装置
１２３１：プロセッサ
１２３２：ＭＥＭ
１２３３：ＴＸ／ＲＸ
１２３４：ＰＲＯＧ
１２３５：処理手段
【図１】
2019515559.tif 000003
【図２】
2019515559.tif 000004
【図３】
2019515559.tif 000005
【図４】
2019515559.tif 000006
【図５】
2019515559.tif 000007
【図６】
2019515559.tif 000008
【図７】
2019515559.tif 000009
【図８】
2019515559.tif 000010
【図９】
2019515559.tif 000011
【図１０】
2019515559.tif 000012
【図１１】
2019515559.tif 000013
【図１２ａ】
2019515559.tif 000014
【図１２ｂ】
2019515559.tif 000015
【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
アプリケーションサーバーで少なくとも部分的に実施される方法において、
リソース要求メッセージを第１のブロードキャスト／マルチキャスト制御ノード（ＢＭ−ＣＮ）へ送信して、マルチメディアブロードキャスト／マルチキャストサービス（ＭＢＭＳ）ユーザサービスを配送するためのブロードキャストリソースの割り当てを要求し；
更に別のリソース要求メッセージを第２のＢＭ−ＣＮへ送信して、ＭＢＭＳユーザサービスを配送するためのブロードキャストリソースの更に別の割り当てを要求し；
第１のＢＭ−ＣＮから第１の応答メッセージをそして第２のＢＭ−ＣＮから第２の応答メッセージを受信し、第１の応答メッセージは、ＭＢＭＳユーザサービスのために第１のＢＭ−ＣＮにより割り当てられた第１のブロードキャストリソースを指示し、及び第２の応答メッセージは、ＭＢＭＳユーザサービスのために第２のＢＭ−ＣＮにより割り当てられた第２のブロードキャストリソースを指示するものであり；及び
第２のブロードキャストリソースに関する情報を第１のＢＭ−ＣＮに指示し、及び／又は第１のブロードキャストリソースに関する情報を第２のＢＭ−ＣＮに指示する；
ことを含む方法。
【請求項２】
前記第１のＢＭ−ＣＮ及び第２のＢＭ−ＣＮは、同じＢＭ−ＣＮである、請求項１に記載の方法。
【請求項３】
前記第１のＢＭ−ＣＮは、第１の公衆地上移動ネットワークに属しそして前記第２のＢＭ−ＣＮは、異なる公衆地上移動ネットワークに属し、或いは
前記第１のＢＭ−ＣＮは、第１のＭＢＭＳサービスエリアにサービスし、そして前記第２のＢＭ−ＣＮは、該第１のＭＢＭＳサービスエリアに少なくとも部分的に重畳する第２のＭＢＭＳサービスエリアにサービスする、
請求項１に記載の方法。
【請求項４】
前記第２のブロードキャストリソースに関する情報を第１のＢＭ−ＣＮに指示すること及び／又は前記第１のブロードキャストリソースに関する情報を第２のＢＭ−ＣＮに指示することは、
前記第１のブロードキャストリソースを識別するための第１の一時的移動グループアイデンティティ、及び前記第２のブロードキャストリソースを識別するための第２の一時的移動グループアイデンティティを、前記第１のＢＭ−ＣＮ及び／又は第２のＢＭ−ＣＮに指示する、
ことを含み；又は
前記第２のブロードキャストリソースに関する情報を第１のＢＭ−ＣＮに指示すること及び／又は前記第１のブロードキャストリソースに関する情報を第２のＢＭ−ＣＮに指示することは、
前記第２のブロードキャストリソースに関する情報を新たな情報エレメントとして第１のアクチベートＭＢＭＳベアラ要求メッセージに含ませ、そして該第１のアクチベートＭＢＭＳベアラ要求メッセージを第１のＢＭ−ＣＮへ送信し；及び／又は
前記第１のブロードキャストリソースに関する情報を新たな情報エレメントとして第２のアクチベートＭＢＭＳベアラ要求メッセージに含ませ、そして該第２のアクチベートＭＢＭＳベアラ要求メッセージを第２のＢＭ−ＣＮへ送信する；
ことを含む、請求項１に記載の方法。
【請求項５】
第１のブロードキャスト／マルチキャスト制御ノード（ＢＭ−ＣＮ）で少なくとも部分的に実施される方法において、
第１のＢＭ−ＣＮのアプリケーションサーバーから要求を受け取って、マルチメディアブロードキャスト／マルチキャストサービス（ＭＢＭＳ）ユーザサービスを配送するためのブロードキャストリソースを割り当て；
前記受け取った要求に応答してアプリケーションサーバーへメッセージを送り、該メッセージは、ＭＢＭＳユーザサービスに対して第１のＢＭ−ＣＮにより割り当てられた第１のブロードキャストリソースを指示するものであり；
ＭＢＭＳユーザサービスに対して第２のＢＭ−ＣＮにより割り当てられた第２のブロードキャストリソースに関する情報をアプリケーションサーバーから受信し；及び
ＭＢＭＳユーザサービスに対する第１のブロードキャストリソース及び第２のブロードキャストリソースに関する情報を、第１のＢＭ−ＣＮ及び第２のＢＭ−ＣＮによりシェアリングされる無線アクセスネットワークに指示する；
ことを含む方法。
【請求項６】
前記第１のＢＭ−ＣＮ及び第２のＢＭ−ＣＮは、同じＢＭ−ＣＮである、請求項５に記載の方法。
【請求項７】
前記第１のＢＭ−ＣＮは、第１の公衆地上移動ネットワークに属しそして前記第２のＢＭ−ＣＮは、異なる第２の公衆地上移動ネットワークに属し、或いは
前記第１のＢＭ−ＣＮは、第１のＭＢＭＳサービスエリアにサービスし、そして前記第２のＢＭ−ＣＮは、該第１のＭＢＭＳサービスエリアに少なくとも部分的に重畳する第２のＭＢＭＳサービスエリアにサービスする、
請求項５に記載の方法。
【請求項８】
前記ＭＢＭＳユーザサービスに対して第２のＢＭ−ＣＮにより割り当てられた第２のブロードキャストリソースに関する情報をアプリケーションサーバーから受信することは、
前記第１のブロードキャストリソースを識別するための第１の一時的移動グループアイデンティティ、及び前記第２のブロードキャストリソースを識別するための第２の一時的移動グループアイデンティティを前記アプリケーションサーバーから受け取る、
ことを含む、請求項５に記載の方法。
【請求項９】
前記ＭＢＭＳユーザサービスに対して第２のＢＭ−ＣＮにより割り当てられた第２のブロードキャストリソースに関する情報をアプリケーションサーバーから受信することは、
前記第２のブロードキャストリソースに関する情報を前記アプリケーションサーバーから第１のアクチベートＭＢＭＳベアラ要求メッセージにおいて新たな情報エレメントを経て受信する、
ことを含む、請求項５に記載の方法。
【請求項１０】
前記ＭＢＭＳユーザサービスのための第１のブロードキャストリソース及び第２のブロードキャストリソースに関する情報を無線アクセスネットワークに指示することは、
前記ＭＢＭＳユーザサービスのための第１のブロードキャストリソース及び第２のブロードキャストリソースに関する情報を、ＭＢＭＳセッション開始要求メッセージ又はＭＢＭＳセッション更新要求メッセージを経て、ベースステーション、又は無線アクセスネットワークのマルチセル／マルチキャスト整合エンティティに指示する、
ことを含み；又は
前記ＭＢＭＳユーザサービスのための第１のブロードキャストリソース及び第２のブロードキャストリソースに関する情報を無線アクセスネットワークに指示することは、
前記ＭＢＭＳユーザサービスのための第１のブロードキャストリソース及び第２のブロードキャストリソースに関する情報を無線アクセスネットワークのターミナルデバイスに指示する、
ことを含む、請求項５に記載の方法。
【請求項１１】
無線アクセスネットワークの第１のネットワークノードで少なくとも部分的に実施される方法において、
第１のマルチメディアブロードキャスト／マルチキャストサービス（ＭＢＭＳ）セッションを開始するための第１のメッセージを第１のブロードキャスト／マルチキャスト制御ノード（ＢＭ−ＣＮ）から受信し；
第２のＭＢＭＳセッションを開始するための第２のメッセージを第２のＢＭ−ＣＮから受信し；
第１のＭＢＭＳセッション及び第２のＭＢＭＳセッションが同じＭＢＭＳユーザサービスに関連していることを検出し；
第１及び第２のＭＢＭＳセッションに対して単一コアネットワークユーザプレーン接続及び単一ブロードキャスト無線ベアラを確立できるかどうか決定し；及び
前記決定の肯定結果に基づいて単一ブロードキャスト無線ベアラを経てターミナルデバイスへ同じＭＢＭＳユーザサービスのデータをブロードキャストする；
ことを含む、方法。
【請求項１２】
前記検出は、前記第１のメッセージ及び第２のメッセージの少なくとも１つに含まれた指示に基づくものであり、この指示は、第１のＢＭ−ＣＮ及び第２のＢＭ−ＣＮの一方により割り当てられたブロードキャストリソース、及び同じＭＢＭＳユーザサービスに対して第１のＢＭ−ＣＮ及び第２のＢＭ−ＣＮの他方により割り当てられた更に別の関連ブロードキャストリソースを指示する、請求項１１に記載の方法。
【請求項１３】
前記第１のＢＭ−ＣＮ及び第２のＢＭ−ＣＮは、同じＢＭ−ＣＮである、請求項１１に記載の方法。
【請求項１４】
無線アクセスネットワークの第２のネットワークノードで少なくとも部分的に実施される方法において、
第１のマルチメディアブロードキャスト／マルチキャストサービス（ＭＢＭＳ）セッションを開始するためのメッセージを第１のブロードキャスト／マルチキャスト制御ノード（ＢＭ−ＣＮ）から受信し；
第２のＭＢＭＳセッションを開始するための更に別のメッセージを第２のＢＭ−ＣＮから受信し；
第１のＭＢＭＳセッション及び第２のＭＢＭＳセッションが同じＭＢＭＳユーザサービスに関連していることを検出し；
第１及び第２のＭＢＭＳセッションに対して単一コアネットワークユーザプレーン接続及び単一ブロードキャスト無線ベアラを確立できるかどうか決定し；及び
前記決定の肯定結果に基づいて、単一コアネットワークユーザプレーン接続を確立するようにベースステーションに命令しそしてその単一コアネットワークユーザプレーン接続から単一ブロードキャスト無線ベアラを経てターミナルデバイスへデータをブロードキャストする；
ことを含む、方法。
【請求項１５】
前記第１のＢＭ−ＣＮ及び第２のＢＭ−ＣＮは、同じＢＭ−ＣＮである、請求項１４に記載の方法。
【請求項１６】
少なくとも１つのプロセッサ、及び
コンピュータプログラムコードを含む少なくとも１つのメモリ、
を備え、アプリケーションサーバーで少なくとも部分的に実施される装置において、
少なくとも１つのメモリ及びコンピュータプログラムコードは、少なくとも１つのプロセッサとで、装置が、少なくとも、
リソース要求メッセージを第１のブロードキャスト／マルチキャスト制御ノード（ＢＭ−ＣＮ）へ送信して、マルチメディアブロードキャスト／マルチキャストサービス（ＭＢＭＳ）ユーザサービスを配送するためのブロードキャストリソースの割り当てを要求し；
更に別のリソース要求メッセージを第２のＢＭ−ＣＮへ送信して、ＭＢＭＳユーザサービスを配送するためのブロードキャストリソースの更に別の割り当てを要求し；
第１のＢＭ−ＣＮから第１の応答メッセージをそして第２のＢＭ−ＣＮから第２の応答メッセージを受信し、第１の応答メッセージは、ＭＢＭＳユーザサービスのために第１のＢＭ−ＣＮにより割り当てられた第１のブロードキャストリソースを指示し、及び第２の応答メッセージは、ＭＢＭＳユーザサービスのために第２のＢＭ−ＣＮにより割り当てられた第２のブロードキャストリソースを指示するものであり；及び
第２のブロードキャストリソースに関する情報を第１のＢＭ−ＣＮに指示し及び／又は第１のブロードキャストリソースに関する情報を第２のＢＭ−ＣＮに指示する；
ことを遂行するようにさせるよう構成された装置。
【請求項１７】
前記第１のＢＭ−ＣＮ及び第２のＢＭ−ＣＮは、同じＢＭ−ＣＮである、請求項１６に記載の装置。
【請求項１８】
前記第１のＢＭ−ＣＮは、第１の公衆地上移動ネットワークに属しそして前記第２のＢＭ−ＣＮは、異なる公衆地上移動ネットワークに属し、或いは
前記第１のＢＭ−ＣＮは、第１のＭＢＭＳサービスエリアにサービスし、そして前記第２のＢＭ−ＣＮは、該第１のＭＢＭＳサービスエリアに少なくとも部分的に重畳する第２のＭＢＭＳサービスエリアにサービスする、
請求項１６に記載の装置。
【請求項１９】
前記第２のブロードキャストリソースに関する情報を第１のＢＭ−ＣＮに指示すること及び／又は前記第１のブロードキャストリソースに関する情報を第２のＢＭ−ＣＮに指示することは、
前記第１のブロードキャストリソースを識別するための第１の一時的移動グループアイデンティティ、及び前記第２のブロードキャストリソースを識別するための第２の一時的移動グループアイデンティティを、前記第１のＢＭ−ＣＮ及び／又は第２のＢＭ−ＣＮに指示する；
ことを含み、又は
前記第２のブロードキャストリソースに関する情報を第１のＢＭ−ＣＮに指示すること及び／又は前記第１のブロードキャストリソースに関する情報を第２のＢＭ−ＣＮに指示することは、
前記第２のブロードキャストリソースに関する情報を新たな情報エレメントとして第１のアクチベートＭＢＭＳベアラ要求メッセージに含ませ、そして該第１のアクチベートＭＢＭＳベアラ要求メッセージを第１のＢＭ−ＣＮへ送信し；及び／又は
前記第１のブロードキャストリソースに関する情報を新たな情報エレメントとして第２のアクチベートＭＢＭＳベアラ要求メッセージに含ませ、そして該第２のアクチベートＭＢＭＳベアラ要求メッセージを第２のＢＭ−ＣＮへ送信する；
ことを含む、請求項１６に記載の装置。
【請求項２０】
少なくとも１つのプロセッサ、及び
コンピュータプログラムコードを含む少なくとも１つのメモリ、
を備え、第１のブロードキャスト／マルチキャスト制御ノード（ＢＭ−ＣＮ）で少なくとも部分的に実施される装置において、
少なくとも１つのメモリ及びコンピュータプログラムコードは、少なくとも１つのプロセッサとで、装置が、少なくとも、
第１のＢＭ−ＣＮのアプリケーションサーバーから要求を受け取って、マルチメディアブロードキャスト／マルチキャストサービス（ＭＢＭＳ）ユーザサービスを配送するためのブロードキャストリソースを割り当て；
前記受け取った要求に応答してアプリケーションサーバーへメッセージを送り、該メッセージは、ＭＢＭＳユーザサービスに対して第１のＢＭ−ＣＮにより割り当てられた第１のブロードキャストリソースを指示するものであり；
ＭＢＭＳユーザサービスに対して第２のＢＭ−ＣＮにより割り当てられた第２のブロードキャストリソースに関する情報をアプリケーションサーバーから受信し；及び
ＭＢＭＳユーザサービスに対する第１のブロードキャストリソース及び第２のブロードキャストリソースに関する情報を、第１のＢＭ−ＣＮ及び第２のＢＭ−ＣＮによりシェアリングされる無線アクセスネットワークに指示する；
ことを遂行するようにさせるよう構成された、装置。
【請求項２１】
前記第１のＢＭ−ＣＮ及び第２のＢＭ−ＣＮは、同じＢＭ−ＣＮである、請求項２０に記載の装置。
【請求項２２】
前記第１のＢＭ−ＣＮは、第１の公衆地上移動ネットワークに属し、そして前記第２のＢＭ−ＣＮは、異なる第２の公衆地上移動ネットワークに属し、或いは
前記第１のＢＭ−ＣＮは、第１のＭＢＭＳサービスエリアにサービスし、そして前記第２のＢＭ−ＣＮは、該第１のＭＢＭＳサービスエリアに少なくとも部分的に重畳する第２のＭＢＭＳサービスエリアにサービスする、
請求項２０に記載の装置。
【請求項２３】
前記ＭＢＭＳユーザサービスに対して第２のＢＭ−ＣＮにより割り当てられた第２のブロードキャストリソースに関する情報をアプリケーションサーバーから受信することは、
前記第１のブロードキャストリソースを識別するための第１の一時的移動グループアイデンティティ、及び前記第２のブロードキャストリソースを識別するための第２の一時的移動グループアイデンティティを前記アプリケーションサーバーから受け取る、
ことを含む、請求項２０に記載の装置。
【請求項２４】
前記ＭＢＭＳユーザサービスに対して第２のＢＭ−ＣＮにより割り当てられた第２のブロードキャストリソースに関する情報をアプリケーションサーバーから受信することは、
前記第２のブロードキャストリソースに関する情報を前記アプリケーションサーバーから第１のアクチベートＭＢＭＳベアラ要求メッセージにおいて新たな情報エレメントを経て受信する、
ことを含む、請求項２０に記載の装置。
【請求項２５】
前記ＭＢＭＳユーザサービスのための第１のブロードキャストリソース及び第２のブロードキャストリソースに関する情報を無線アクセスネットワークに指示することは、
前記ＭＢＭＳユーザサービスのための第１のブロードキャストリソース及び第２のブロードキャストリソースに関する情報を、ＭＢＭＳセッション開始要求メッセージ又はＭＢＭＳセッション更新要求メッセージを経て、ベースステーション、又は無線アクセスネットワークのマルチセル／マルチキャスト整合エンティティに指示する；
ことを含み、又は
前記ＭＢＭＳユーザサービスのための第１のブロードキャストリソース及び第２のブロードキャストリソースに関する情報を無線アクセスネットワークに指示することは、
前記ＭＢＭＳユーザサービスのための第１のブロードキャストリソース及び第２のブロードキャストリソースに関する情報を無線アクセスネットワークのターミナルデバイスに指示する、
ことを含む、請求項２０に記載の装置。
【請求項２６】
少なくとも１つのプロセッサ、及び
コンピュータプログラムコードを含む少なくとも１つのメモリ、
を備え、無線アクセスネットワークの第１のネットワークノードで少なくとも部分的に実施される装置において、
少なくとも１つのメモリ及びコンピュータプログラムコードは、少なくとも１つのプロセッサとで、装置が、少なくとも、
第１のマルチメディアブロードキャスト／マルチキャストサービス（ＭＢＭＳ）セッションを開始するための第１のメッセージを第１のブロードキャスト／マルチキャスト制御ノード（ＢＭ−ＣＮ）から受信し；
第２のＭＢＭＳセッションを開始するための第２のメッセージを第２のＢＭ−ＣＮから受信し；
第１のＭＢＭＳセッション及び第２のＭＢＭＳセッションが同じＭＢＭＳユーザサービスに関連していることを検出し；
第１及び第２のＭＢＭＳセッションに対して単一コアネットワークユーザプレーン接続及び単一ブロードキャスト無線ベアラを確立できるかどうか決定し；及び
前記決定の肯定結果に基づいて単一ブロードキャスト無線ベアラを経てターミナルデバイスへ同じＭＢＭＳユーザサービスのデータをブロードキャストする；
ことを遂行するようにさせるよう構成された、装置。
【請求項２７】
前記検出は、前記第１のメッセージ及び第２のメッセージの少なくとも１つに含まれた指示に基づくものであり、この指示は、第１のＢＭ−ＣＮ及び第２のＢＭ−ＣＮの一方により割り当てられたブロードキャストリソース、及び同じＭＢＭＳユーザサービスに対して第１のＢＭ−ＣＮ及び第２のＢＭ−ＣＮの他方により割り当てられた更に別の関連ブロードキャストリソースを指示する、請求項２６に記載の装置。
【請求項２８】
前記第１のＢＭ−ＣＮ及び第２のＢＭ−ＣＮは、同じＢＭ−ＣＮである、請求項２６から２７のいずれかに記載の装置。
【請求項２９】
少なくとも１つのプロセッサ、及び
コンピュータプログラムコードを含む少なくとも１つのメモリ、
を備え、無線アクセスネットワークの第２のネットワークノードで少なくとも部分的に実施される装置において、
少なくとも１つのメモリ及びコンピュータプログラムコードは、少なくとも１つのプロセッサとで、装置が、少なくとも、
第１のマルチメディアブロードキャスト／マルチキャストサービス（ＭＢＭＳ）セッションを開始するための第１のメッセージを第１のブロードキャスト／マルチキャスト制御ノード（ＢＭ−ＣＮ）から受信し；
第２のＭＢＭＳセッションを開始するための第２のメッセージを第２のＢＭ−ＣＮから受信し；
第１のＭＢＭＳセッション及び第２のＭＢＭＳセッションが同じＭＢＭＳユーザサービスに関連していることを検出し；
第１及び第２のＭＢＭＳセッションに対して単一コアネットワークユーザプレーン接続及び単一ブロードキャスト無線ベアラを確立できるかどうか決定し；及び
前記決定の肯定結果に基づいて、単一コアネットワークユーザプレーン接続を確立するようにベースステーションに命令しそしてその単一コアネットワークユーザプレーン接続から単一ブロードキャスト無線ベアラを経てターミナルデバイスへデータをブロードキャストする；
ことを遂行するようにさせるよう構成された、装置。
【請求項３０】
前記第１のＢＭ−ＣＮ及び第２のＢＭ−ＣＮは、同じＢＭ−ＣＮである、請求項２９に記載の装置。
【請求項３１】
装置により実行されたときに、装置が請求項５、１１又は１４の少なくとも１つに記載の方法を遂行するようにさせるプログラムコードが記憶された少なくとも１つのコンピュータ読み取り可能な非一時的メモリ媒体を備えたコンピュータプログラム製品。
【国際調査報告】
2019515559.tif 000016
2019515559.tif 000017
2019515559.tif 000018